(57)【要約】  本願の実施例は信号伝送方法、ネットワーク装置及び端末装置を開示し、該方法は、第１ネットワーク装置は該第１ネットワーク装置に対応する第１周波数帯において、信号を伝送するための時間周波数リソースを確定することと、該第１ネットワーク装置は該時間周波数リソースにおいて第１端末装置と信号伝送を行うことと、を含む。本願の実施例による方法、ネットワーク装置及び端末装置は受信機の感度の向上に役立ち、それにより伝送信頼性を向上させる。
2020529141.tif 000002
【特許請求の範囲】
【請求項１】
第１ネットワーク装置は前記第１ネットワーク装置に対応する第１周波数帯において、信号を伝送するための時間周波数リソースを確定することと、
前記第１ネットワーク装置は前記時間周波数リソースにおいて、第１端末装置と信号伝送を行うことと、を含むことを特徴とする信号伝送方法。
【請求項２】
前記第１ネットワーク装置が第１指示情報を受信することを更に含み、
前記第１ネットワーク装置が、前記第１ネットワーク装置に対応する第１周波数帯において、信号を伝送するための時間周波数リソースを確定することは、
前記第１ネットワーク装置は前記第１指示情報に基づき、前記時間周波数リソースを確定することを含むことを特徴とする請求項１に記載の方法。
【請求項３】
前記第１指示情報は第２周波数帯の前記第１周波数帯への干渉に基づいて送信したものであることを特徴とする請求項２に記載の方法。
【請求項４】
前記第１周波数帯はダウンリンク信号を伝送することに用いられ、前記第２周波数帯はアップリンク信号を伝送することに用いられ、又は、前記第１周波数帯はアップリンク信号を伝送することに用いられ、前記第２周波数帯はダウンリンク信号を伝送することに用いられることを特徴とする請求項３に記載の方法。
【請求項５】
前記第１指示情報は前記第１周波数帯の第１周期における各時間領域ユニットに対する前記第１ネットワーク装置のスケジューリング方式を指示することに用いられ、及び／又は前記第１指示情報は前記第１周波数帯における各周波数領域ユニットに対する前記第１ネットワーク装置のスケジューリング方式を指示することに用いられ、
前記第１ネットワーク装置が前記第１指示情報に基づき、前記時間周波数リソースを確定することは、
前記第１ネットワーク装置は前記各時間領域ユニットのスケジューリング方式及び／又は前記各周波数領域ユニットのスケジューリング方式に基づき、前記時間周波数リソースを確定することを含むことを特徴とする請求項２〜４のいずれか１項に記載の方法。
【請求項６】
前記スケジューリング方式はスケジューリング許可、スケジューリング禁止、又は、調整又は制限された符号化及び変調レベルを用いてスケジューリングすることを含むことを特徴とする請求項５に記載の方法。
【請求項７】
前記第１指示情報は前記時間周波数リソースの時間領域の開始位置、時間領域の長さ及び時間領域の終了位置のうちの少なくとも２つを指示することに用いられ、及び／又は前記第１指示情報は前記時間周波数リソースの周波数領域の開始位置、帯域幅及び周波数領域の終了位置のうちの少なくとも２つを指示することに用いられることを特徴とする請求項２〜４のいずれか１項に記載の方法。
【請求項８】
前記第１指示情報は第２ネットワーク装置に対応するアップリンク／ダウンリンク周波数帯の第２周期における時間領域設定情報を指示することに用いられ、前記アップリンク／ダウンリンク周波数帯は前記第１周波数帯に干渉を与えた第２周波数帯を含み、
前記第１ネットワーク装置が前記第１指示情報に基づき、前記時間周波数リソースを確定することは、
前記第１ネットワーク装置は前記時間領域設定情報に基づき、前記時間周波数リソースを確定することを含むことを特徴とする請求項２〜４のいずれか１項に記載の方法。
【請求項９】
前記第１ネットワーク装置が前記時間領域設定情報に基づき、前記時間周波数リソースを確定することは、
前記第１ネットワーク装置は前記第１周波数帯の前記第２周期における前記第２周期において前記第２周波数帯と重なる時間領域ユニット以外のリソースを前記時間周波数リソースとして確定することを含むことを特徴とする請求項８に記載の方法。
【請求項１０】
前記第１周波数帯は新無線ＮＲキャリアであり、及び／又は前記第２周波数帯はロングタームエボリューションＬＴＥキャリア又は新無線ＮＲキャリアであることを特徴とする請求項３〜９のいずれか１項に記載の方法。
【請求項１１】
前記第２周波数帯に対応するセルはプライマリセルであることを特徴とする請求項３〜１０のいずれか１項に記載の方法。
【請求項１２】
前記第１ネットワーク装置が前記第１端末装置の端末設定情報を受信することを更に含み、
前記第１ネットワーク装置が前記第１ネットワーク装置に対応する第１周波数帯において、信号を伝送するための時間周波数リソースを確定することは、
前記第１ネットワーク装置は前記端末設定情報に基づき、前記第１端末装置に対応する前記時間周波数リソースを確定することを含むことを特徴とする請求項１〜１１のいずれか１項に記載の方法。
【請求項１３】
第２ネットワーク装置は第２周波数帯の第１周波数帯への干渉に基づき、第１ネットワーク装置に第１指示情報を送信し、前記第１指示情報は前記第１ネットワーク装置が前記第１周波数帯において、信号伝送に使用可能な時間周波数リソースを確定することに用いられることを含むことを特徴とする信号伝送方法。
【請求項１４】
前記第１周波数帯はダウンリンク信号を伝送することに用いられ、前記第２周波数帯はアップリンク信号を伝送することに用いられ、又は、前記第１周波数帯はアップリンク信号を伝送することに用いられ、前記第２周波数帯はダウンリンク信号を伝送することに用いられることを特徴とする請求項１３に記載の方法。
【請求項１５】
前記第１指示情報は前記第１周波数帯の第１周期における各時間領域ユニットに対する前記第１ネットワーク装置のスケジューリング方式を指示することに用いられ、及び／又は前記第１指示情報は前記第１周波数帯における各周波数領域ユニットに対する前記第１ネットワーク装置のスケジューリング方式を指示することに用いられることを特徴とする請求項１３又は１４に記載の方法。
【請求項１６】
前記スケジューリング方式はスケジューリング許可、スケジューリング禁止、又は、調整又は制限された符号化及び変調レベルを用いてスケジューリングすることを含むことを特徴とする請求項１５に記載の方法。
【請求項１７】
前記第１指示情報は前記時間周波数リソースの時間領域の開始位置、時間領域の長さ及び時間領域の終了位置のうちの少なくとも２つを指示することに用いられ、及び／又は前記第１指示情報は前記時間周波数リソースの周波数領域の開始位置、帯域幅及び周波数領域の終了位置のうちの少なくとも２つを指示することに用いられることを特徴とする請求項１３又は１４に記載の方法。
【請求項１８】
前記第１指示情報は前記第２ネットワーク装置に対応するアップリンク／ダウンリンク周波数帯の第２周期における時間領域設定情報を指示することに用いられ、前記アップリンク／ダウンリンク周波数帯は前記第２周波数帯を含むことを特徴とする請求項１３又は１４に記載の方法。
【請求項１９】
前記第１指示情報は第１端末装置の前記時間周波数リソースを指示することに用いられ、前記第１端末装置は前記第１ネットワーク装置がネットワークサービスを提供する端末装置であることを特徴とする請求項１３〜１８のいずれか１項に記載の方法。
【請求項２０】
前記第２ネットワーク装置が前記第１端末装置の送信した第２指示情報を受信し、前記第２指示情報は前記第１端末装置の第１周波数帯による信号受信能力及び／又は前記第２周波数帯の前記第１周波数帯への干渉情報を指示することに用いられることを更に含み、
前記第２ネットワーク装置が第２周波数帯の第１周波数帯への干渉に基づき、第１ネットワーク装置に第１指示情報を送信することは、
前記干渉情報に基づき、前記第１端末装置の前記時間周波数リソースを確定することと、
前記第１ネットワーク装置に前記第１指示情報を送信することと、を含むことを特徴とする請求項１９に記載の方法。
【請求項２１】
前記干渉情報は前記第２周波数帯の前記第１周波数帯への干渉の前記第１端末装置への影響程度及び／又は前記第２周波数帯の前記第１周波数帯への干渉の干渉タイプを含み、前記干渉タイプは高調波干渉及び／又は相互変調干渉を含むことを特徴とする請求項２０に記載の方法。
【請求項２２】
前記第２指示情報は具体的に前記第２周波数帯の前記第１周波数帯における各周波数領域ユニットへの干渉の前記第１端末装置への影響程度を指示することに用いられることを特徴とする請求項２１に記載の方法。
【請求項２３】
前記第１周波数帯は新無線ＮＲキャリアであり、前記第２周波数帯はロングタームエボリューションＬＴＥキャリア又は新無線ＮＲキャリアであることを特徴とする請求項１３〜２２のいずれか１項に記載の方法。
【請求項２４】
前記第２周波数帯に対応するセルはプライマリセルであることを特徴とする請求項１３〜２３のいずれか１項に記載の方法。
【請求項２５】
第２ネットワーク装置が第１端末装置の送信した第２指示情報を受信し、前記第２指示情報は前記第１端末装置の第１周波数帯による信号受信能力及び／又は第２周波数帯の前記第１周波数帯への干渉の干渉情報を指示することに用いられることを含むことを特徴とする信号伝送方法。
【請求項２６】
前記第２ネットワーク装置は前記第２指示情報に基づき、前記第１周波数帯において、前記第１端末装置の信号を伝送するための時間周波数リソースを確定することを含むことを特徴とする請求項２５に記載の方法。
【請求項２７】
前記第２周波数帯はアップリンク信号を伝送することに用いられることを特徴とする請求項２５又は２６に記載の方法。
【請求項２８】
前記干渉情報は前記第２周波数帯の前記第１周波数帯への干渉の前記第１端末装置への影響程度及び／又は前記第２周波数帯の前記第１周波数帯への干渉の干渉タイプを含み、前記干渉タイプは高調波干渉及び／又は相互変調干渉を含むことを特徴とする請求項２５〜２７のいずれか１項に記載の方法。
【請求項２９】
前記第２指示情報は具体的に前記第２周波数帯の前記第１周波数帯における各周波数領域ユニットへの干渉の前記第１端末装置への影響程度を指示することに用いられることを特徴とする請求項２８に記載の方法。
【請求項３０】
前記第２指示情報は前記第２周波数帯の前記第１周波数帯における一部の周波数領域リソースへの干渉の前記第１端末装置への影響程度を指示することに用いられることを特徴とする請求項２８に記載の方法。
【請求項３１】
前記第１端末装置の第１周波数帯による信号受信能力は前記第１端末装置の前記第１周波数帯による信号受信感度値により特徴付けられ、及び／又は前記影響程度は前記影響程度に対応する影響レベルにより特徴付けられることを特徴とする請求項２８〜３０のいずれか１項に記載の方法。
【請求項３２】
前記第２ネットワーク装置が前記第２指示情報に基づき、前記第１周波数帯において、前記第１端末装置の信号を伝送するための時間周波数リソースを確定することは、
前記第２ネットワーク装置が前記第２指示情報に基づき、前記第２周波数帯の前記第１周波数帯への干渉が前記第１端末装置に影響しないことを確定することと、
前記第２ネットワーク装置が前記第１周波数帯におけるすべての時間周波数リソースを前記第１端末装置の時間周波数リソースとして確定することと、を含むことを特徴とする請求項２５〜３１のいずれか１項に記載の方法。
【請求項３３】
前記第２ネットワーク装置が第１ネットワーク装置に第１指示情報を送信し、前記第１指示情報は前記第１端末装置の前記時間周波数リソースを指示することに用いられることを更に含むことを特徴とする請求項２５〜３２のいずれか１項に記載の方法。
【請求項３４】
前記第１周波数帯は新無線ＮＲキャリアであり、前記第２周波数帯はロングタームエボリューションＬＴＥキャリア又は新無線ＮＲキャリアであることを特徴とする請求項２５〜３３のいずれか１項に記載の方法。
【請求項３５】
前記第２周波数帯に対応するセルはプライマリセルであることを特徴とする請求項２５〜３４のいずれか１項に記載の方法。
【請求項３６】
第１端末装置が第２ネットワーク装置に第２指示情報を送信し、前記第２指示情報は前記第１端末装置の第１周波数帯による信号受信能力及び／又は第２周波数帯の前記第１周波数帯への干渉の干渉情報を指示することに用いられることを含むことを特徴とする信号伝送方法。
【請求項３７】
前記第２周波数帯はアップリンク信号を伝送することに用いられることを特徴とする請求項３６に記載の方法。
【請求項３８】
前記干渉情報は前記第２周波数帯の前記第１周波数帯への干渉の前記第１端末装置への影響程度及び／又は前記第２周波数帯の前記第１周波数帯への干渉の干渉タイプを含み、前記干渉タイプは高調波干渉及び／又は相互変調干渉を含むことを特徴とする請求項３６又は３７に記載の方法。
【請求項３９】
前記第２指示情報は具体的に前記第２周波数帯の前記第１周波数帯における各周波数領域ユニットへの干渉の前記第１端末装置への影響程度を指示することに用いられることを特徴とする請求項３８に記載の方法。
【請求項４０】
前記第２指示情報は具体的に前記第２周波数帯の前記第１周波数帯における一部の周波数領域リソースへの干渉の前記第１端末装置への影響程度を指示することに用いられることを特徴とする請求項３８に記載の方法。
【請求項４１】
前記第１端末装置の第１周波数帯による信号受信能力は前記第１端末装置の前記第１周波数帯による信号受信感度値により特徴付けられ、及び／又は前記影響程度は前記影響程度に対応する影響レベルにより特徴付けられることを特徴とする請求項３８〜４０のいずれか１項に記載の方法。
【請求項４２】
前記第１周波数帯は新無線ＮＲキャリアであり、前記第２周波数帯はロングタームエボリューションＬＴＥキャリア又は新無線ＮＲキャリアであることを特徴とする請求項３６〜４１のいずれか１項に記載の方法。
【請求項４３】
前記第２周波数帯に対応するセルはプライマリセルであることを特徴とする請求項３６〜４２のいずれか１項に記載の方法。
【請求項４４】
前記第１端末装置が第２ネットワーク装置に第２指示情報を送信することは、
前記第１端末装置が前記第１端末装置のアクセス能力及び前記第２指示情報を含む第１メッセージを前記第２ネットワーク装置に送信すること、又は
前記第１端末装置がキャリアアグリゲーションをイネーブルする場合、前記第２ネットワーク装置に前記第２指示情報を送信すること、又は
前記第１端末装置が前記第１端末装置に設定された複数の周波数帯に干渉が生じ得ることを確定した場合、前記第２ネットワーク装置に前記第２指示情報を送信することを含むことを特徴とする請求項３６〜４３のいずれか１項に記載の方法。
【請求項４５】
ネットワーク装置であって、
前記ネットワーク装置が第１ネットワーク装置であり、前記ネットワーク装置は、
前記第１ネットワーク装置に対応する第１周波数帯において、信号を伝送するための時間周波数リソースを確定するための確定ユニットと、
前記時間周波数リソースにおいて、第１端末装置と信号伝送を行うための伝送ユニットと、を備えることを特徴とするネットワーク装置。
【請求項４６】
第１指示情報を受信するための第１受信ユニットを更に備え、
前記確定ユニットは具体的に、
前記第１指示情報に基づき、前記時間周波数リソースを確定することに用いられることを特徴とする請求項４５に記載のネットワーク装置。
【請求項４７】
前記第１指示情報は第２周波数帯の前記第１周波数帯への干渉に基づいて送信したものであることを特徴とする請求項４６に記載のネットワーク装置。
【請求項４８】
前記第１周波数帯はダウンリンク信号を伝送することに用いられ、前記第２周波数帯はアップリンク信号を伝送することに用いられ、又は、前記第１周波数帯はアップリンク信号を伝送することに用いられ、前記第２周波数帯はダウンリンク信号を伝送することに用いられることを特徴とする請求項４７に記載のネットワーク装置。
【請求項４９】
前記第１指示情報は前記第１周波数帯の第１周期における各時間領域ユニットに対する前記第１ネットワーク装置のスケジューリング方式を指示することに用いられ、及び／又は前記第１指示情報は前記第１周波数帯における各周波数領域ユニットに対する前記第１ネットワーク装置のスケジューリング方式を指示することに用いられ、
前記確定ユニットは具体的に、
前記各時間領域ユニットのスケジューリング方式及び／又は前記各周波数領域ユニットのスケジューリング方式に基づき、前記時間周波数リソースを確定することに用いられることを特徴とする請求項４６〜４８のいずれか１項に記載のネットワーク装置。
【請求項５０】
前記スケジューリング方式はスケジューリング許可、スケジューリング禁止、又は、調整又は制限された符号化及び変調レベルを用いてスケジューリングすることを含むことを特徴とする請求項４９に記載のネットワーク装置。
【請求項５１】
前記第１指示情報は前記時間周波数リソースの時間領域の開始位置、時間領域の長さ及び時間領域の終了位置のうちの少なくとも２つを指示することに用いられ、及び／又は前記第１指示情報は前記時間周波数リソースの周波数領域の開始位置、帯域幅及び周波数領域の終了位置のうちの少なくとも２つを指示することに用いられることを特徴とする請求項４６〜４８のいずれか１項に記載のネットワーク装置。
【請求項５２】
前記第１指示情報は第２ネットワーク装置に対応するアップリンク／ダウンリンク周波数帯の第２周期における時間領域設定情報を指示することに用いられ、前記アップリンク／ダウンリンク周波数帯は前記第１周波数帯に干渉を与えた第２周波数帯を含み、
前記確定ユニットは具体的に、
前記第１ネットワーク装置が前記時間領域設定情報に基づき、前記時間周波数リソースを確定することに用いられることを特徴とする請求項４６〜４８のいずれか１項に記載のネットワーク装置。
【請求項５３】
前記確定ユニットは具体的に、
前記第１周波数帯の前記第２周期における前記第２周期において前記第２周波数帯と重なる時間領域ユニット以外のリソースを前記時間周波数リソースとして確定することに用いられることを特徴とする請求項５２に記載のネットワーク装置。
【請求項５４】
前記第１周波数帯は新無線ＮＲキャリアであり、及び／又は前記第２周波数帯はロングタームエボリューションＬＴＥキャリア又は新無線ＮＲキャリアであることを特徴とする請求項４７〜５３のいずれか１項に記載のネットワーク装置。
【請求項５５】
前記第２周波数帯に対応するセルはプライマリセルであることを特徴とする請求項４７〜５４のいずれか１項に記載のネットワーク装置。
【請求項５６】
前記第１端末装置の端末設定情報を受信するための第２受信ユニットを更に備え、
前記確定ユニットは具体的に、
前記端末設定情報に基づき、前記第１端末装置に対応する前記時間周波数リソースを確定することに用いられることを特徴とする請求項４５〜５５のいずれか１項に記載のネットワーク装置。
【請求項５７】
ネットワーク装置であって、
前記ネットワーク装置が第２ネットワーク装置であり、前記ネットワーク装置は、
第２周波数帯の第１周波数帯への干渉に基づき、第１ネットワーク装置に第１指示情報を送信するための送信ユニットを備え、前記第１指示情報は前記第１ネットワーク装置が前記第１周波数帯において、信号伝送に使用可能な時間周波数リソースを確定することに用いられることを特徴とするネットワーク装置。
【請求項５８】
前記第１周波数帯はダウンリンク信号を伝送することに用いられ、前記第２周波数帯はアップリンク信号を伝送することに用いられ、又は、前記第１周波数帯はアップリンク信号を伝送することに用いられ、前記第２周波数帯はダウンリンク信号を伝送することに用いられることを特徴とする請求項５７に記載のネットワーク装置。
【請求項５９】
前記第１指示情報は前記第１周波数帯の第１周期における各時間領域ユニットに対する前記第１ネットワーク装置のスケジューリング方式を指示することに用いられ、及び／又は前記第１指示情報は前記第１周波数帯における各周波数領域ユニットに対する前記第１ネットワーク装置のスケジューリング方式を指示することに用いられることを特徴とする請求項５７又は５８に記載のネットワーク装置。
【請求項６０】
前記スケジューリング方式はスケジューリング許可、スケジューリング禁止、又は、調整又は制限された符号化及び変調レベルを用いてスケジューリングすることを含むことを特徴とする請求項５９に記載のネットワーク装置。
【請求項６１】
前記第１指示情報は前記時間周波数リソースの時間領域の開始位置、時間領域の長さ及び時間領域の終了位置のうちの少なくとも２つを指示することに用いられ、及び／又は前記第１指示情報は前記時間周波数リソースの周波数領域の開始位置、帯域幅及び周波数領域の終了位置のうちの少なくとも２つを指示することに用いられることを特徴とする請求項５７又は５８に記載のネットワーク装置。
【請求項６２】
前記第１指示情報は前記第２ネットワーク装置に対応するアップリンク／ダウンリンク周波数帯の第２周期における時間領域設定情報を指示することに用いられ、前記アップリンク／ダウンリンク周波数帯は前記第２周波数帯を含むことを特徴とする請求項５７又は５８に記載のネットワーク装置。
【請求項６３】
前記第１指示情報は第１端末装置の前記時間周波数リソースを指示することに用いられ、前記第１端末装置は前記第１ネットワーク装置がネットワークサービスを提供する端末装置であることを特徴とする請求項５７〜６２のいずれか１項に記載のネットワーク装置。
【請求項６４】
前記第１端末装置の送信した第２指示情報を受信するための受信ユニットを更に備え、前記第２指示情報は前記第１端末装置の第１周波数帯による信号受信能力及び／又は前記第２周波数帯の前記第１周波数帯への干渉情報を指示することに用いられ、
前記送信ユニットは具体的に、
前記干渉情報に基づき、前記第１端末装置の前記時間周波数リソースを確定することと、
前記第１ネットワーク装置に前記第１指示情報を送信することと、に用いられることを特徴とする請求項６３に記載のネットワーク装置。
【請求項６５】
前記干渉情報は前記第２周波数帯の前記第１周波数帯への干渉の前記第１端末装置への影響程度及び／又は前記第２周波数帯の前記第１周波数帯への干渉の干渉タイプを含み、前記干渉タイプは高調波干渉及び／又は相互変調干渉を含むことを特徴とする請求項６４に記載のネットワーク装置。
【請求項６６】
前記第２指示情報は具体的に前記第２周波数帯の前記第１周波数帯における各周波数領域ユニットへの干渉の前記第１端末装置への影響程度を指示することに用いられることを特徴とする請求項６５に記載のネットワーク装置。
【請求項６７】
前記第１周波数帯は新無線ＮＲキャリアであり、前記第２周波数帯はロングタームエボリューションＬＴＥキャリア又は新無線ＮＲキャリアであることを特徴とする請求項５７〜６６のいずれか１項に記載のネットワーク装置。
【請求項６８】
前記第２周波数帯に対応するセルはプライマリセルであることを特徴とする請求項５７〜６７のいずれか１項に記載のネットワーク装置。
【請求項６９】
ネットワーク装置であって、
前記ネットワーク装置が第２ネットワーク装置であり、前記ネットワーク装置は、
第１端末装置の送信した第２指示情報を受信するための受信ユニットを備え、前記第２指示情報は前記第１端末装置の第１周波数帯による信号受信能力及び／又は第２周波数帯の前記第１周波数帯への干渉の干渉情報を指示することに用いられることを特徴とするネットワーク装置。
【請求項７０】
前記第２指示情報に基づき、前記第１周波数帯において、前記第１端末装置の信号を伝送するための時間周波数リソースを確定するための確定ユニットを更に備えることを特徴とする請求項６９に記載のネットワーク装置。
【請求項７１】
前記第２周波数帯はアップリンク信号を伝送することに用いられることを特徴とする請求項６９又は７０に記載のネットワーク装置。
【請求項７２】
前記干渉情報は前記第２周波数帯の前記第１周波数帯への干渉の前記第１端末装置への影響程度及び／又は前記第２周波数帯の前記第１周波数帯への干渉の干渉タイプを含み、前記干渉タイプは高調波干渉及び／又は相互変調干渉を含むことを特徴とする請求項６９〜７１のいずれか１項に記載のネットワーク装置。
【請求項７３】
前記第２指示情報は具体的に、前記第２周波数帯の前記第１周波数帯における各周波数領域ユニットへの干渉の前記第１端末装置への影響程度を指示することに用いられることを特徴とする請求項７２に記載のネットワーク装置。
【請求項７４】
前記第２指示情報は前記第２周波数帯の前記第１周波数帯における一部の周波数領域リソースへの干渉の前記第１端末装置への影響程度を指示することに用いられることを特徴とする請求項７２に記載のネットワーク装置。
【請求項７５】
前記第１端末装置の第１周波数帯による信号受信能力は前記第１端末装置の前記第１周波数帯による信号受信感度値により特徴付けられ、及び／又は前記影響程度は前記影響程度に対応する影響レベルにより特徴付けられることを特徴とする請求項７２〜７４のいずれか１項に記載のネットワーク装置。
【請求項７６】
前記確定ユニットは具体的に、
前記第２指示情報に基づき、前記第２周波数帯の前記第１周波数帯への干渉が前記第１端末装置に影響しないことを確定することと、
前記第１周波数帯におけるすべての時間周波数リソースを前記第１端末装置の時間周波数リソースとして確定することと、に用いられることを特徴とする請求項６９〜７５のいずれか１項に記載のネットワーク装置。
【請求項７７】
前記第１端末装置の前記時間周波数リソースを指示するための第１指示情報を第１ネットワーク装置に送信するための送信ユニットを更に備えることを特徴とする請求項６９〜７６のいずれか１項に記載のネットワーク装置。
【請求項７８】
前記第１周波数帯は新無線ＮＲキャリアであり、前記第２周波数帯はロングタームエボリューションＬＴＥキャリア又は新無線ＮＲキャリアであることを特徴とする請求項６９〜７７のいずれか１項に記載のネットワーク装置。
【請求項７９】
前記第２周波数帯に対応するセルはプライマリセルであることを特徴とする請求項６９〜７８のいずれか１項に記載のネットワーク装置。
【請求項８０】
端末装置であって、
前記端末装置が第１端末装置であり、前記端末装置は、
第２ネットワーク装置に第２指示情報を送信するための送信ユニットを備え、前記第２指示情報は前記第１端末装置の第１周波数帯による信号受信能力及び／又は第２周波数帯の前記第１周波数帯への干渉の干渉情報を指示することに用いられることを特徴とする端末装置。
【請求項８１】
前記第２周波数帯はアップリンク信号を伝送することに用いられることを特徴とする請求項８０に記載の端末装置。
【請求項８２】
前記干渉情報は前記第２周波数帯の前記第１周波数帯への干渉の前記第１端末装置への影響程度及び／又は前記第２周波数帯の前記第１周波数帯への干渉の干渉タイプを含み、前記干渉タイプは高調波干渉及び／又は相互変調干渉を含むことを特徴とする請求項８０又は８１に記載の端末装置。
【請求項８３】
前記第２指示情報は具体的に、前記第２周波数帯の前記第１周波数帯における各周波数領域ユニットへの干渉の前記第１端末装置への影響程度を指示することに用いられることを特徴とする請求項８２に記載の端末装置。
【請求項８４】
前記第２指示情報は前記第２周波数帯の前記第１周波数帯における一部の周波数領域リソースへの干渉の前記第１端末装置への影響程度を指示することに用いられることを特徴とする請求項８２に記載の端末装置。
【請求項８５】
前記第１端末装置の第１周波数帯による信号受信能力は前記第１端末装置の前記第１周波数帯による信号受信感度値により特徴付けられ、及び／又は前記影響程度は前記影響程度に対応する影響レベルにより特徴付けられることを特徴とする請求項８２〜８４のいずれか１項に記載の端末装置。
【請求項８６】
前記第１周波数帯は新無線ＮＲキャリアであり、前記第２周波数帯はロングタームエボリューションＬＴＥキャリア又は新無線ＮＲキャリアであることを特徴とする請求項８０〜８５のいずれか１項に記載の端末装置。
【請求項８７】
前記第２周波数帯に対応するセルはプライマリセルであることを特徴とする請求項８０〜８６のいずれか１項に記載の端末装置。
【請求項８８】
前記送信ユニットは具体的に、
前記第１端末装置のアクセス能力及び前記第２指示情報を含む第１メッセージを前記第２ネットワーク装置に送信すること、又は
キャリアアグリゲーションをイネーブルする場合、前記第２ネットワーク装置に前記第２指示情報を送信すること、又は
前記第１端末装置に設定された複数の周波数帯に干渉が生じ得ることを確定した場合、前記第２ネットワーク装置に前記第２指示情報を送信することに用いられることを特徴とする請求項８０〜８７のいずれか１項に記載の端末装置。
【発明の詳細な説明】
【技術分野】
【０００１】
本願の実施例は通信分野に関し、より具体的に、信号伝送方法、ネットワーク装置及び端末装置に関する。
【背景技術】
【０００２】
現在、新無線（ＮＲ：Ｎｅｗ  Ｒａｄｉｏ）の研究において、信号を伝送する動作周波数帯のため、どのように伝送信頼性を向上させるかは研究中の課題となる。
【発明の概要】
【発明が解決しようとする課題】
【０００３】
これに鑑みて、本願の実施例は受信機の感度の向上に役立ち、それにより伝送信頼性を向上させる信号伝送方法、ネットワーク装置及び端末装置を提供する。
【課題を解決するための手段】
【０００４】
第１態様では信号伝送方法を提供し、該方法は、第１ネットワーク装置が該第１ネットワーク装置に対応する第１周波数帯において、信号を伝送するための時間周波数リソースを確定することと、該第１ネットワーク装置が該時間周波数リソースにおいて第１端末装置と信号伝送を行うことと、を含む。
【０００５】
周波数帯とは電波スペクトルにおける特定の周波数限界の間に位置する部分を指し、一般的には、周波数帯は伝送を許可する信号の最高周波数と伝送を許可する信号の最低周波数との間の周波数範囲であり、ここで、周波数領域において一定幅を有する周波数リソースを指し、時間領域において制限されなくてもよく、例えば周波数帯はキャリアであってもよい。
【０００６】
ネットワーク装置は物理的にネットワークサービスを提供できる装置を指してもよく、論理的にネットワークサービスを提供する装置であってもよい。例えば、ネットワーク装置は送受信ポイント（ＴＲＰ：Ｔｒａｎｓｍｉｓｓｉｏｎ  ａｎｄ  Ｒｅｃｅｐｔｉｏｎ  Ｐｏｉｎｔ）であってもよい。
【０００７】
所謂第１ネットワーク装置に対応する第１周波数帯とは、該第１周波数帯が信号伝送のために、該第１ネットワーク装置に設定されたものであることを意味し、該第１周波数帯は端末装置に該第１ネットワーク装置の信号を伝送するためのものであってもよく、第１ネットワーク装置が端末装置の送信した信号を受信するためのものであってもよい。ここで、対応はプロトコルに規定されたものであってもよく、ネットワーク装置同士が協議したもの、又はプライマリネットワーク装置がセカンダリネットワーク装置に設定したものであってもよいと理解すべきである。
【０００８】
ネットワーク装置が、設定された周波数帯において端末装置と信号伝送を行うための時間周波数リソースを更に判断することにより、伝送信頼性の向上に役立つ。
【０００９】
可能な実現形態では、該方法は更に、該第１ネットワーク装置が第１指示情報を受信することを含み、該第１ネットワーク装置が、該第１ネットワーク装置に対応する第１周波数帯において、信号を伝送するための時間周波数リソースを確定することは、該第１ネットワーク装置が該第１指示情報に基づき、該時間周波数リソースを確定することを含む。
【００１０】
選択肢として、該第１指示情報は第２周波数帯の該第１周波数帯への干渉に基づいて送信したものである。
【００１１】
具体的に、第２ネットワーク装置は他のネットワーク装置に設定された周波数帯を取得することができ、且つ、その自体に設定された周波数帯の他のネットワーク装置の周波数帯への干渉に基づき、一定のルールに従って、他のネットワーク装置の周波数帯に対してリソース設定を行って、第２ネットワーク装置がその周波数帯を設定した状況を他のネットワーク装置に通知することができる。
【００１２】
ネットワーク装置同士のインタラクション又はネットワーク装置同士の協議によって、他のネットワーク装置に設定された周波数帯の自体の周波数帯への干渉を十分に考慮した後、信号を伝送するための時間周波数リソースを更に設定し、それにより干渉の低減、伝送信頼性の向上に役立つ。
【００１３】
可能な実現形態では、該第１周波数帯はダウンリンク信号を伝送することに用いられ、該第２周波数帯はアップリンク信号を伝送することに用いられ、又は、該第１周波数帯はアップリンク信号を伝送することに用いられ、該第２周波数帯はダウンリンク信号を伝送することに用いられる。
【００１４】
該第１周波数帯及び第２周波数帯の伝送方向はちょうど逆である。例えば、該第１周波数帯は端末装置の信号を受信するために第１ネットワーク装置に設定したものであってもよく、該第２周波数帯は端末装置に信号を送信するために第１ネットワーク装置又は他のネットワーク装置に設定したものであってもよく、又は、該第１周波数帯は端末装置に信号を送信するために第１ネットワーク装置に設定したものであってもよく、該第２周波数帯は端末装置の送信した信号を受信するために第１ネットワーク装置又は他のネットワーク装置に設定したものであってもよい。
【００１５】
ネットワーク装置内又はネットワーク装置同士の協調によって、周波数帯干渉の受信側性能への影響の軽減に役立ち、それにより伝送信頼性を向上させる。
【００１６】
可能な実現形態では、該第１指示情報は該第１周波数帯の第１周期における各時間領域ユニットに対する該第１ネットワーク装置のスケジューリング方式を指示することに用いられ、及び／又は該第１指示情報は該第１周波数帯における各周波数領域ユニットに対する該第１ネットワーク装置のスケジューリング方式を指示することに用いられ、該第１ネットワーク装置が該第１ネットワーク装置に対応する第１周波数帯において、信号を伝送するための時間周波数リソースを確定することは、該第１ネットワーク装置が該各時間領域ユニットのスケジューリング方式及び／又は該各周波数領域ユニットのスケジューリング方式に基づき、該時間周波数リソースを確定することを含む。
【００１７】
上記周期及び時間領域ユニットがいくつであるかについては、ネットワーク装置同士が予め協議してもよく、又は、プライマリネットワーク装置が設定してもよい。例えば、１０個のタイムスロットを周期とするが、時間領域ユニットが１つのタイムスロットであってもよく、２つのタイムスロット等であってもよいと予め規定してもよい。
【００１８】
選択肢として、該第１指示情報は１つの一般化されたビットマップであってもよく、例えば、ｘ０で該時間領域ユニットが信号伝送に使用可能であることを示し、ｘ１で該時間領域ユニットが信号伝送に使用禁止であることを示し、ｘ２で該時間領域ユニットが一定の制限をしなければ信号伝送に使用不能であることを示してもよい。
【００１９】
上記第１周波数帯をいくつの周波数領域ユニットに分割するか及び該周波数領域ユニットがいくつであるかについては、ネットワーク装置同士が予め協議してもよく、又は、プライマリネットワーク装置が設定してもよい。例えば、第１周波数帯を１５ｋＨｚで分割すると予め規定してもよく、該周波数領域ユニットが１５ｋＨｚ又は１５ｋＨｚの整数倍である。
【００２０】
同様に、１つの一般化されたビットマップによって該第１周波数帯における各周波数領域ユニットを指示してもよい。
【００２１】
可能な実現形態では、該スケジューリング方式はスケジューリング許可、スケジューリング禁止、又は、調整又は制限された符号化及び変調レベルを用いてスケジューリングすることを含む。
【００２２】
選択肢として、該スケジューリング方式は更に一定数量の端末装置を制限しなければスケジューリングを許可しないことであってもよい。
【００２３】
可能な実現形態では、該第１指示情報は該時間周波数リソースの時間領域の開始位置、時間領域の長さ及び時間領域の終了位置のうちの少なくとも２つを指示することに用いられ、及び／又は該第１指示情報は該時間周波数リソースの周波数領域の開始位置、帯域幅及び周波数領域の終了位置のうちの少なくとも２つを指示することに用いられる。
【００２４】
選択肢として、該第１指示情報は更に該第１周波数帯における制限された時間周波数リソースの時間領域の開始位置、時間領域の長さ及び時間領域の終了位置のうちの少なくとも２つを指示することに用いられてもよく、及び／又は該第１指示情報は更に該第１周波数帯における制限された時間周波数リソースの周波数領域の開始位置、帯域幅及び周波数領域の終了位置のうちの少なくとも２つを指示することに用いられてもよい。この場合、第１ネットワーク装置は該第１指示情報で指示する制限された時間周波数リソースに基づいて、スケジューリングを許可する時間周波数リソースを確定することができる。
【００２５】
可能な実現形態では、該第１指示情報は第２ネットワーク装置に対応するアップリンク／ダウンリンク周波数帯の第２周期における時間領域設定情報を指示することに用いられ、該アップリンク／ダウンリンク周波数帯は該第１周波数帯に干渉を与えた第２周波数帯を含み、該第１ネットワーク装置が該第１指示情報に基づき、該時間周波数リソースを確定することは、該第１ネットワーク装置が該時間領域設定情報に基づき、該時間周波数リソースを確定することを含む。
【００２６】
該実施例において、周期については、上記と類似的に、予め約束又は設定してもよい。一般的に、ネットワーク装置に設定された周波数帯の一部はアップリンク信号を伝送することに用いられ、他の一部はダウンリンク信号を伝送することに用いられ、すなわち、ネットワーク装置に設定された周波数帯はアップリンク周波数帯及びダウンリンク周波数帯を含む。該アップリンク周波数帯はダウンリンク周波数帯と同じであってもよいが、時間領域においてずれている。これは所謂の時分割多重化である。第１ネットワーク装置は他のネットワーク装置に対応する周波数帯の時間領域設定情報、即ち１つの周期でのアップリンク／ダウンリンク設定状況を取得すれば、該アップリンク／ダウンリンク設定状況に応じて、一定のルールに従って第１周波数帯におけるスケジューリング可能な時間領域リソース又はスケジューリングを制限する時間領域リソースを自動的に確定することができる。
【００２７】
可能な実現形態では、該方法は更に、該第１ネットワーク装置が該第１端末装置の端末設定情報を受信することを含み、該第１ネットワーク装置が、該第１ネットワーク装置に対応する第１周波数帯において、信号を伝送するための時間周波数リソースを確定することは、該第１ネットワーク装置が該端末設定情報に基づき、該第１端末装置に対応する該時間周波数リソースを確定することを含む。
【００２８】
選択肢として、該第１ネットワーク装置における異なる端末装置は第１周波数帯における異なる設定方式に対応してもよく、異なるグループの端末装置は第１周波数帯における異なる設定方式に対応してもよい。他のネットワーク装置は第１ネットワーク装置に第１指示情報を送信すると同時に、第１ネットワーク装置に第１端末装置の識別子又は第１端末装置の属するグループ番号を送信することができ、更に第１ネットワーク装置は該第１指示情報で指示する時間周波数リソースが該第１端末装置の信号を伝送することができると判断できる。又は、ネットワーク装置同士は上記対応関係を記憶することができ、他のネットワーク装置は第１端末装置の識別子又は第１端末装置の属するグループ番号を第１ネットワーク装置に通知すればよい。
【００２９】
選択肢として、該第１指示情報で指示する時間周波数リソースは該第１ネットワーク装置におけるすべての端末装置に適用されてもよい。
【００３０】
可能な実現形態では、該第１周波数帯はＮＲキャリアであり、及び／又は該第２周波数帯はＬＴＥキャリア又はＮＲキャリアである。
【００３１】
可能な実現形態では、該第２周波数帯に対応するセルはプライマリセルである。
【００３２】
第２態様では信号伝送方法を提供し、該方法は、第２ネットワーク装置が第２周波数帯の第１周波数帯への干渉に基づき、第１ネットワーク装置に第１指示情報を送信し、該第１指示情報は該第１ネットワーク装置が該第１周波数帯において、信号伝送に使用可能な時間周波数リソースを確定することに用いられることを含む。
【００３３】
可能な実現形態では、該第１周波数帯はダウンリンク信号を伝送することに用いられ、該第２周波数帯はアップリンク信号を伝送することに用いられ、又は、該第１周波数帯はアップリンク信号を伝送することに用いられ、該第２周波数帯はダウンリンク信号を伝送することに用いられる。
【００３４】
可能な実現形態では、該第１指示情報は該第１周波数帯の第１周期における各時間領域ユニットに対する該第１ネットワーク装置のスケジューリング方式を指示することに用いられ、及び／又は該第１指示情報は該第１周波数帯における各周波数領域ユニットに対する該第１ネットワーク装置のスケジューリング方式を指示することに用いられる。
【００３５】
可能な実現形態では、該スケジューリング方式はスケジューリング許可、スケジューリング禁止、又は、調整又は制限された符号化及び変調レベルを用いてスケジューリングすることを含む。
【００３６】
可能な実現形態では、該第１指示情報は該時間周波数リソースの時間領域の開始位置、時間領域の長さ及び時間領域の終了位置のうちの少なくとも２つを指示することに用いられ、及び／又は該第１指示情報は該時間周波数リソースの周波数領域の開始位置、帯域幅及び周波数領域の終了位置のうちの少なくとも２つを指示することに用いられる。
【００３７】
可能な実現形態では、該第１指示情報は該第２ネットワーク装置に対応するアップリンク／ダウンリンク周波数帯の第２周期における時間領域設定情報を指示することに用いられ、該アップリンク／ダウンリンク周波数帯は該第２周波数帯を含む。
【００３８】
可能な実現形態では、該第１指示情報は第１端末装置の該時間周波数リソースを指示することに用いられ、該第１端末装置は該第１ネットワーク装置がネットワークサービスを提供する端末装置である。
【００３９】
可能な実現形態では、該方法は更に、該第２ネットワーク装置が該第１端末装置の送信した第２指示情報を受信し、該第２指示情報は該第１端末装置の第１周波数帯による信号受信能力及び／又は該第２周波数帯の該第１周波数帯への干渉の干渉情報を指示することに用いられることを含み、該第２ネットワーク装置が第２周波数帯の第１周波数帯への干渉に基づき、第１ネットワーク装置に第１指示情報を送信することは、該干渉情報に基づき、該第１端末装置の該時間周波数リソースを確定することと、該第１ネットワーク装置に該第１指示情報を送信することと、を含む。
【００４０】
異なる端末装置の異なる周波数帯への干渉の異なる端末装置への影響程度、又は異なる端末装置の信号受信能力は異なる可能性がある。異なる周波数帯の同時伝送による相互間の干渉がどの程度であるかを指示するために、端末装置は関連情報を報告することができる。具体的に、端末装置の受信感度値、受信影響レベル等を減少させることができる。該受信影響レベルはプロトコルによって予め固定されてもよい。
【００４１】
選択肢として、干渉情報は更に該第２周波数帯の該第１周波数帯への干渉の干渉タイプであってもよく、該干渉タイプは高調波干渉及び／又は相互変調干渉を含む。
【００４２】
すなわち、高調波干渉は第１周波数帯における１種類の時間周波数リソースの設定方式に対応してもよく、相互変調干渉も第１周波数帯における１種類の時間周波数リソースの設定方式に対応してもよく、高調波干渉プラス相互変調干渉は第１周波数帯における他の種類の時間周波数リソースの設定方式に対応してもよい。
【００４３】
可能な実現形態では、該第１周波数帯は新無線ＮＲキャリアであり、該第２周波数帯はロングタームエボリューションＬＴＥキャリア又は新無線ＮＲキャリアである。
【００４４】
可能な実現形態では、該第２周波数帯に対応するセルはプライマリセルである。
【００４５】
第３態様では信号伝送方法を提供し、該方法は、第２ネットワーク装置が第１端末装置の送信した第２指示情報を受信し、該第２指示情報は該第１端末装置の第１周波数帯による信号受信能力及び／又は第２周波数帯の該第１周波数帯への干渉の干渉情報を指示することに用いられることを含む。
【００４６】
可能な実現形態では、該方法は更に、該第２ネットワーク装置が該第２指示情報に基づき、該第１周波数帯において、該第１端末装置の信号を伝送するための時間周波数リソースを確定することを含む。
【００４７】
選択肢として、該第１周波数帯は第１端末装置と信号伝送を行うために該第２ネットワーク装置に設定したものであってもよく、第１端末装置と信号伝送を行うために他のネットワーク装置、例えば第１ネットワーク装置に設定したものであってもよい。すなわち、該第２ネットワーク装置は該第１端末装置の時間周波数リソースを確定した後、第２ネットワーク装置は該時間周波数リソースを直接に使用して第１端末装置と信号伝送を行ってもよい。他のネットワーク装置が該時間周波数リソースを使用して第１端末装置と信号伝送を行うことを可能にするために、他のネットワーク装置に該時間周波数リソースを指示する指示情報を送信してもよい。
【００４８】
異なる端末装置の干渉に対する隔離度に対して、該端末装置に対する時間周波数リソースを確定し、端末装置の性能を十分に利用することができ、それにより伝送信頼性の向上に役立つ。
【００４９】
可能な実現形態では、該第２周波数帯はアップリンク信号を伝送することに用いられる。
【００５０】
可能な実現形態では、該干渉情報は該第２周波数帯の該第１周波数帯への干渉の該第１端末装置への影響程度及び／又は該第２周波数帯の該第１周波数帯への干渉の干渉タイプを含み、該干渉タイプは高調波干渉及び／又は相互変調干渉を含む。
【００５１】
可能な実現形態では、該第２指示情報は具体的に、該第２周波数帯の該第１周波数帯における各周波数領域ユニットへの干渉の該第１端末装置への影響程度を指示することに用いられる。
【００５２】
可能な実現形態では、該第２指示情報は具体的に、該第２周波数帯の該第１周波数帯における一部の周波数領域リソースへの干渉の該第１端末装置への影響程度を指示することに用いられる。
【００５３】
可能な実現形態では、該第１端末装置の第１周波数帯による信号受信能力は該第１端末装置の該第１周波数帯による信号受信感度値により特徴付けられ、及び／又は該影響程度は該影響程度に対応する影響レベルにより特徴付けられる。
【００５４】
可能な実現形態では、該第２ネットワーク装置が該第２指示情報に基づき、該第１周波数帯において、該第１端末装置の信号を伝送するための時間周波数リソースを確定することは、該第２ネットワーク装置が該第２指示情報に基づき、該第２周波数帯の該第１周波数帯への干渉が該第１端末装置に影響しないことを確定することと、該第２ネットワーク装置が該第１周波数帯におけるすべての時間周波数リソースを該第１端末装置の時間周波数リソースとして確定することと、を含む。
【００５５】
可能な実現形態では、該第１周波数帯はＮＲキャリアであり、該第２周波数帯はＬＴＥキャリア又はＮＲキャリアである。
【００５６】
可能な実現形態では、該第２周波数帯に対応するセルはプライマリセルである。
【００５７】
第４態様では信号伝送方法を提供し、該方法は、第１端末装置が第２ネットワーク装置に第２指示情報を送信し、該第２指示情報は該第１端末装置の第１周波数帯による信号受信能力及び／又は第２周波数帯の該第１周波数帯への干渉情報を指示することに用いられることを含む。
【００５８】
可能な実現形態では、該第２周波数帯はアップリンク信号を伝送することに用いられる。
【００５９】
可能な実現形態では、該干渉情報は該第２周波数帯の該第１周波数帯への干渉の該第１端末装置への影響程度及び／又は該第２周波数帯の該第１周波数帯への干渉の干渉タイプを含み、該干渉タイプは高調波干渉及び／又は相互変調干渉を含む。
【００６０】
可能な実現形態では、該第２指示情報は具体的に、該第２周波数帯の該第１周波数帯における各周波数領域ユニットへの干渉の該第１端末装置への影響程度を指示することに用いられる。
【００６１】
可能な実現形態では、該第２指示情報は具体的に、該第２周波数帯の該第１周波数帯における一部の周波数領域リソースへの干渉の該第１端末装置への影響程度を指示することに用いられる。
【００６２】
可能な実現形態では、該第１端末装置の第１周波数帯による信号受信能力は該第１端末装置の該第１周波数帯による信号受信感度値により特徴付けられ、及び／又は該影響程度は該影響程度に対応する影響レベルにより特徴付けられる。
【００６３】
可能な実現形態では、該第１周波数帯はＮＲキャリアであり、該第２周波数帯はＬＴＥキャリア又はＮＲキャリアである。
【００６４】
可能な実現形態では、該第２周波数帯に対応するセルはプライマリセルである。
【００６５】
可能な実現形態では、該第１端末装置が第２ネットワーク装置に第２指示情報を送信することは、該第１端末装置が該第１端末装置のアクセス能力及び該第２指示情報を含む第１メッセージを該第２ネットワーク装置に送信すること、又は、該第１端末装置がキャリアアグリゲーションをイネーブルする場合、該第２ネットワーク装置に該第２指示情報を送信すること、又は、該第１端末装置が該第１端末装置に設定された複数の周波数帯に干渉が生じ得ることを確定した場合、該第２ネットワーク装置に該第２指示情報を送信することを含む。
【００６６】
第５態様ではネットワーク装置を提供し、上記第１態様又は第１態様の任意の可能な実現形態における方法を実行することに用いられる。具体的に、該ネットワーク装置は上記第１態様又は第１態様の任意の可能な実現形態における方法を実行するためのユニットを備える。
【００６７】
第６態様ではネットワーク装置を提供し、上記第２態様又は第２態様の任意の可能な実現形態における方法を実行することに用いられる。具体的に、該ネットワーク装置は上記第２態様又は第２態様の任意の可能な実現形態における方法を実行するためのユニットを備える。
【００６８】
第７態様ではネットワーク装置を提供し、上記第３態様又は第３態様の任意の可能な実現形態における方法を実行することに用いられる。具体的に、該ネットワーク装置は上記第３態様又は第３態様の任意の可能な実現形態における方法を実行するためのユニットを備える。
【００６９】
第８態様では端末装置を提供し、上記第４態様又は第４態様の任意の可能な実現形態における方法を実行することに用いられる。具体的に、該端末装置は上記第４態様又は第４態様の任意の可能な実現形態における方法を実行するためのユニットを備える。
【００７０】
第９態様ではネットワーク装置を提供し、該ネットワーク装置はメモリ、プロセッサ、入力インターフェース及び出力インターフェースを備える。メモリ、プロセッサ、入力インターフェース及び出力インターフェースはバスシステムによって接続される。該メモリは命令を記憶することに用いられ、該プロセッサは該メモリに記憶される命令を実行することに用いられ、上記第１態様又は第１態様の任意の可能な実現形態における方法を実行することに用いられる。
【００７１】
第１０態様ではネットワーク装置を提供し、該ネットワーク装置はメモリ、プロセッサ、入力インターフェース及び出力インターフェースを備える。メモリ、プロセッサ、入力インターフェース及び出力インターフェースはバスシステムによって接続される。該メモリは命令を記憶することに用いられ、該プロセッサは該メモリに記憶される命令を実行することに用いられ、上記第２態様又は第２態様の任意の可能な実現形態における方法を実行することに用いられる。
【００７２】
第１１態様ではネットワーク装置を提供し、該ネットワーク装置はメモリ、プロセッサ、入力インターフェース及び出力インターフェースを備える。メモリ、プロセッサ、入力インターフェース及び出力インターフェースはバスシステムによって接続される。該メモリは命令を記憶することに用いられ、該プロセッサは該メモリに記憶される命令を実行することに用いられ、上記第３態様又は第３態様の任意の可能な実現形態における方法を実行することに用いられる。
【００７３】
第１２態様では端末装置を提供し、該端末装置はメモリ、プロセッサ、入力インターフェース及び出力インターフェースを備える。メモリ、プロセッサ、入力インターフェース及び出力インターフェースはバスシステムによって接続される。該メモリは命令を記憶することに用いられ、該プロセッサは該メモリに記憶される命令を実行することに用いられ、上記第４態様又は第４態様の任意の可能な実現形態における方法を実行することに用いられる。
【００７４】
第１３態様ではコンピュータ記憶媒体を提供し、上記第１態様又は第１態様の任意の可能な実現形態における方法、又は上記第２態様又は第２態様の任意の可能な実現形態における方法、又は上記第３態様又は第３態様の任意の可能な実現形態における方法、又は上記第４態様又は第４態様の任意の可能な実現形態における方法を実行するために用いた、上記態様を実行するために設計したプログラムを含むコンピュータソフトウェア命令を記憶することに用いられる。
【００７５】
第１４態様では命令を含むコンピュータプログラム製品を提供し、コンピュータにおいて実行されるとき、コンピュータは上記第１態様又は第１態様のいずれか１つの可能な実現形態における方法、又は上記第２態様又は第２態様のいずれか１つの可能な実現形態における方法、又は上記第３態様又は第３態様のいずれか１つの可能な実現形態における方法、又は上記第４態様又は第４態様のいずれか１つの可能な実現形態における方法を実行する。
【００７６】
本願のこれらの態様又は他の態様は以下の実施例の説明において明らかになる。
【図面の簡単な説明】
【００７７】
【図１】図１は本願の実施例による具体的な適用シーンを示す。
【図２】図２は本願の実施例による信号伝送方法の模式的なブロック図を示す。
【図３】図３は本願の実施例による信号伝送方法の模式的なフローチャートを示す。
【図４】図４は本願の実施例による指示方式の模式的なブロック図を示す。
【図５】図５は本願の実施例による指示方式の他の模式的なブロック図を示す。
【図６】図６は本願の実施例による信号伝送方法の他の模式的なブロック図を示す。
【図７】図７は本願の実施例による信号伝送方法の別の模式的なブロック図を示す。
【図８】図８は本願の実施例による信号伝送方法の別の模式的なブロック図を示す。
【図９】図９は本願の実施例によるネットワーク装置の模式的なブロック図を示す。
【図１０】図１０は本願の実施例によるネットワーク装置の他の模式的なブロック図を示す。
【図１１】図１１は本願の実施例によるネットワーク装置の別の模式的なブロック図を示す。
【図１２】図１２は本願の実施例による端末装置の模式的なブロック図を示す。
【図１３】図１３は本願の実施例によるネットワーク装置の別の模式的なブロック図を示す。
【図１４】図１４は本願の実施例によるネットワーク装置の別の模式的なブロック図を示す。
【図１５】図１５は本願の実施例によるネットワーク装置の別の模式的なブロック図を示す。
【図１６】図１６は本願の実施例による端末装置の他の模式的なブロック図を示す。
【発明を実施するための形態】
【００７８】
以下、本願の実施例の図面を参照しながら、本願の実施例の技術案を明確に完全に説明する。
【００７９】
本願の実施例の技術案は様々な通信システム、例えば、グローバル移動体通信（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ＬＴＥシステム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、ＮＲ又は将来の５Ｇシステム等に適用されてもよいと理解すべきである。
【００８０】
特に、本願の実施例の技術案は非直交多元アクセス技術に基づく様々な通信システム、例えば疎コード多重アクセス（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システム等に適用されてもよく、無論、通信分野ではＳＣＭＡシステム及びＬＤＳシステムが他の名称と称されてもよく、更に、本願の実施例の技術案は非直交多元アクセス技術を用いるマルチキャリア伝送システム、例えば非直交多元アクセス技術を用いる直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルタバンクマルチキャリア（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システム等に適用されてもよい。
【００８１】
本願の実施例における端末装置はユーザー装置、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、将来の５Ｇネットワークにおける端末装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）における端末装置等であってもよく、本願の実施例は制限しない。
【００８２】
本願の実施例におけるネットワーク装置は端末装置と通信するための装置であってもよく、該ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  ＮｏｄｅＢ）であってもよく、更にクラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線制御装置であってもよく、又は、該ネットワーク装置は中継局、アクセスポイント、車載装置、ウェアラブルデバイス及び将来の５Ｇネットワークにおけるネットワーク装置又は将来発展するＰＬＭＮネットワークにおけるネットワーク装置等であってもよく、本願の実施例は制限しない。
【００８３】
ＮＲ／５Ｇシステムにおいてネットワークは従来のＬＴＥシステムと異なり、５Ｇは複数の周波数（高周波数・低周波数及び未認証の周波数帯）であって、複数層が重なり（例えば、マクロセル＋マイクロセル）、多重接続を実現するとき、ＵＥからネットワークまでの接続は複数の周波数における複数のネットワークノードによって実現される。図１に示すように、図１における通信システムは端末装置１０及びネットワーク装置２０を備えてもよく、ネットワーク装置２０は第１のＴＲＰ２１及び第２のＴＲＰ２２を備える。ネットワーク装置２０は端末装置１０に通信サービスを提供してコアネットワークにアクセスすることに用いられ、端末装置１０はネットワーク装置２０から送信された同期信号、放送信号等を検索することによりネットワークにアクセスし、それによりネットワークと通信する。図１に示される矢印は端末装置１０とネットワーク装置２０との間のセルラーリンクによるアップリンク／ダウンリンク伝送を示してもよい。
【００８４】
独立しない動作モードを例とし、１つのＵＥはＬＴＥ及びＮＲ伝送を同時にサポートし、すなわち、ＬＴＥリンク及びＮＲリンクは同時に動作する。しかしながら、ＬＴＥキャリア及びＮＲキャリアの周波数帯のため、同時に伝送すれば、いくつかの高調波又は相互変調の干渉が生じる恐れがあり、従って、受信機の感度を低下させてしまう。
【００８５】
当業者であれば、所謂高調波干渉とは、１つの周波数帯の整数倍ともう１つの周波数帯とが重なり部分を有し、該２つの周波数帯が異なる方向の伝送を同時に行う際に生じた干渉を意味してもよく、所謂高調波干渉とは、２つの周波数帯の線形結合ともう１つの周波数帯とが重なり部分を有し、該２つの周波数帯及びもう１つの周波数帯が異なる方向の伝送を同時に行う際に生じた干渉を意味してもよいと理解される。
【００８６】
例えば、ＬＴＥは、１つのアップリンクキャリアの周波数帯範囲が１７１０〜１７８５ＭＨｚであり、その２次高調波範囲が３４２０〜３５７０ＭＨｚであり、ＮＲダウンリンクキャリアの周波数帯範囲の３４００〜３８００ＭＨｚと部分的に重なり、ＬＴＥのアップリンクキャリア及びＮＲのダウンリンクキャリアにおいて同時に伝送すれば、高調波干渉が生じる。
【００８７】
更に、例えば、１つのＵＥに周波数帯１及び周波数帯７のＬＴＥキャリアを同時に設定し、ＮＲキャリアの周波数帯範囲が３４００〜３８００ＭＨｚであり、周波数帯７のアップリンク及びＮＲのアップリンクにおいて同時に伝送すれば、生じた５次相互変調干渉は周波数帯１のダウンリンク受信機の感度に影響する。
【００８８】
同様に、独立した動作モードにも上記問題がある。
【００８９】
本願の実施例は上記問題に対して解決方法を提供し、以下に図面を参照しながら本願の実施例に係る技術案を詳しく説明する。
【００９０】
本明細書において、本明細書における用語「システム」と「ネットワーク」は常に交換可能に使用されることを理解すべきである。本明細書における用語「及び／又は」は、関連オブジェクトを説明する関連関係に過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００９１】
図２は本願の実施例による信号伝送方法１００の模式的なブロック図を示す。図２に示すように、該方法１００は、
第１ネットワーク装置が該第１ネットワーク装置に対応する第１周波数帯において、信号を伝送するための時間周波数リソースを確定するＳ１１０と、
該第１ネットワーク装置が該時間周波数リソースにおいて第１端末装置と信号伝送を行うＳ１２０と、を含む。
【００９２】
まず、以下を説明すべきである。
【００９３】
１、周波数帯とは電波スペクトルにおける特定の周波数限界の間に位置する部分を指し、一般的に、周波数帯は伝送を許可する信号の最高周波数と伝送を許可する信号の最低周波数との間の周波数範囲であり、ここで、周波数領域において一定幅を有する周波数リソースを指し、時間領域において制限しなくてもよく、例えば周波数帯はキャリアであってもよい。
【００９４】
２、ネットワーク装置は、更にネットワークノードと称されてもよく、１台の装置が１つの独立したアドレスを有し且つデータ送受信機能を有するネットワークに接続されることを意味する。ノードはワークステーション、クライアント、ネットワークユーザー又はパーソナルコンピュータであってもよく、サーバ、プリンタ及び他のネットワークに接続される装置であってもよい。各ワークステーション、サーバ、端末装置、ネットワーク装置、即ちその唯一のネットワークアドレスのある装置はいずれもネットワークノードである。すなわち、ネットワーク装置は物理的にネットワークサービスを提供できる装置を指してもよく、論理的にネットワークサービスを提供する装置であってもよい。例えば、上記いずれか１つのネットワーク装置であってもよく、ネットワーク装置は更にＴＲＰであってもよい。
【００９５】
３、所謂第１ネットワーク装置に対応する第１周波数帯とは、該第１周波数帯が信号を伝送するために該第１ネットワーク装置に設定したものであることを意味し、該第１周波数帯は端末装置に該第１ネットワーク装置の信号を伝送するためのものであってもよく、第１ネットワーク装置が端末装置の伝送した信号を受信するためのものであってもよい。ここで、対応は対応関係であってもよく、プロトコルに規定されたものであってもよく、ネットワーク装置同士が協議した又はプライマリネットワーク装置がセカンダリネットワーク装置に設定したものであってもよいと理解すべきである。
【００９６】
４、ここで、第１端末装置と信号伝送を行うこととは、第１ネットワーク装置が第１端末装置に信号、即ちダウンリンク信号を送信することを意味してもよく、第１ネットワーク装置が第１端末装置から送信された信号、即ちアップリンク信号を受信することを意味してもよい。
【００９７】
５、本願の実施例において、一方では、第１ネットワーク装置が該第１ネットワーク装置に対応する第１周波数帯において、信号を伝送するための時間周波数リソースを確定することは、ネットワーク装置同士が協議して確定してもよい。例えば、ネットワーク装置は信号を伝送する前にまず自身に設定された周波数帯を周りのネットワーク装置に通知することができる場合、ネットワーク装置は他のネットワーク装置に設定された周波数帯がそれと信号伝送を行うと同時に干渉が生じるかどうかを判断し、干渉が生じる場合、自身に干渉を与えた他のネットワーク装置に通知して、それらのうちのどれがその周波数帯リソースを制限するかを協議することができる。他方では、第１ネットワーク装置が該第１ネットワーク装置に対応する第１周波数帯において、信号を伝送するための時間周波数リソースを確定することは、他のネットワーク装置が確定して第１ネットワーク装置に指示することであってもよい。すなわち、他のネットワーク装置は一定のルールに従って第１ネットワーク装置に設定された第１周波数帯を更に分割する。
【００９８】
図３は本願の実施例による信号伝送方法２００の簡易フローチャートを示す。図３に示すように、該方法２００は、
第２ネットワーク装置が第２周波数帯の第１周波数帯への干渉に基づき、第１周波数帯において時間周波数リソースを確定するＳ２１０と、
第２ネットワーク装置が第１ネットワーク装置に第１指示情報を送信し、その確定された時間周波数リソースを第１ネットワーク装置に通知するＳ２２０と、
第１ネットワーク装置が第２ネットワーク装置の送信した第１指示情報に基づき、第１周波数帯において時間周波数リソースを確定するＳ２３０と、
第１ネットワーク装置がその確定された時間周波数リソースによって第１端末装置と信号伝送を行うＳ２４０と、を含む。
【００９９】
具体的に、第２ネットワーク装置は第２周波数帯の第１周波数帯への干渉を考慮して、第１周波数帯において、信号を伝送するための時間周波数リソースを確定することができる。ここで、第２周波数帯は第１ネットワーク装置に設定されたものであってもよく、他のネットワーク装置、例えば第２ネットワーク装置に設定されたものであってもよく、第１周波数帯は第１ネットワーク装置に設定されたものである。ステップＳ２１０は選択可能なステップであり、すなわち、第２ネットワーク装置その自体は第２周波数帯の第１周波数帯への干渉を考慮して意思決定をしなくてもよく、第１周波数帯に干渉を与えた第２周波数帯の関連情報、例えば、その周波数帯範囲又は時間領域範囲等を第１ネットワーク装置に直接に通知してもよいと理解すべきである。更に、第１ネットワーク装置が第１指示情報を受信した後、該指示情報に基づいて第１周波数帯において時間周波数リソースを確定することは、第２ネットワーク装置が第２周波数帯の第１周波数帯への干渉を考慮して意思決定をした場合、該第１指示情報が第２ネットワーク装置の確定した時間周波数リソースを指示してもよく、第１ネットワーク装置が該第１指示情報に基づいて該時間周波数リソースを直接に確定できることと、第２ネットワーク装置が第２周波数帯の第１周波数帯への干渉を考慮したが意思決定をしない場合、第２ネットワーク装置から送信された第１指示情報が該第２周波数帯の関連情報であってもよく、そうすると第１ネットワーク装置が該第１指示情報で指示する第２周波数帯の関連情報に基づき、一定のルールに従って、該時間周波数リソースを自主的に確定することと、を含んでもよい。第１ネットワーク装置は該時間周波数リソースを確定した後、該時間周波数リソースによって第１ネットワーク装置における端末装置と信号伝送を行うことができる。第１ネットワーク装置又は第２ネットワーク装置の確定した該時間周波数リソースはいずれも第２周波数帯の第１周波数帯への干渉を十分に考慮し、それにより第２周波数帯及び第１周波数帯において同時に伝送するとき、干渉の低減、伝送信頼性の向上に役立つ。
【０１００】
選択肢として、本願の実施例において、該第１周波数帯はダウンリンク信号を伝送することに用いられ、該第２周波数帯はアップリンク信号を伝送することに用いられ、又は、該第１周波数帯はアップリンク信号を伝送することに用いられ、該第２周波数帯はダウンリンク信号を伝送することに用いられる。
【０１０１】
すなわち、同時に伝送するとき、第１周波数帯及び第２周波数帯は方向が異なってもよい。例えば、第１周波数帯のダウンリンク及び第２周波数帯のアップリンクにおいて同時に伝送し、又は、第１周波数帯のアップリンク及び第２周波数帯のダウンリンクにおいて同時に伝送する。同時に伝送するとき、第１周波数帯及び第２周波数帯は方向が同じであってもよい。例えば、第１周波数帯のアップリンク及び第２周波数帯のアップリンクにおいて同時に伝送し、又は、第１周波数帯のダウンリンク及び第２周波数帯のダウンリンクにおいて同時に伝送する。第１周波数帯及び第２周波数帯は同じネットワーク装置に設定したものであってもよく、第１周波数帯及び第２周波数帯の同時伝送は、同じネットワーク装置及び同じ端末装置がそれぞれ第１周波数帯及び第２周波数帯によって信号伝送を行うことであってもよく、第１周波数帯及び第２周波数帯は更に同じネットワーク装置に設定したものであってもよく、第１周波数帯及び第２周波数帯の同時伝送は、同じネットワーク装置及び異なる端末装置がそれぞれ第１周波数帯及び第２周波数帯によって信号伝送を行うことであってもよく、第１周波数帯及び第２周波数帯は更に異なるネットワーク装置に設定したものであってもよく、第１周波数帯及び第２周波数帯の同時伝送は、異なるネットワーク装置がそれぞれそれらにおける端末装置と第１周波数帯及び第２周波数帯によって信号伝送を行うことであってもよいと理解すべきである。
【０１０２】
第１周波数帯及び第２周波数帯は同じネットワーク装置に設定されたものである場合、第１周波数帯の属するセルと第２周波数帯の属するセルとの間に明確なインタラクション情報がないが、各セルの属する論理ネットワーク要素によってインタラクションする可能性があると更に理解すべきである。
【０１０３】
選択肢として、本願の実施例において、該第１指示情報は該第１周波数帯の第１周期における各時間領域ユニットに対する該第１ネットワーク装置のスケジューリング方式を指示することに用いられ、及び／又は該第１指示情報は該第１周波数帯における各周波数領域ユニットに対する該第１ネットワーク装置のスケジューリング方式を指示することに用いられ、該第１ネットワーク装置が該第１指示情報に基づき、該時間周波数リソースを確定することは、該第１ネットワーク装置が該各時間領域ユニットのスケジューリング方式及び／又は該各周波数領域ユニットのスケジューリング方式に基づき、該時間周波数リソースを確定することを含む。
【０１０４】
更に、該スケジューリング方式はスケジューリング許可、スケジューリング禁止、又は、調整又は制限された符号化及び変調レベルを用いてスケジューリングすることであってもよく、又は、該スケジューリング方式は更に特定の時間領域ユニット又は特定の周波数領域ユニットにおいてスケジューリングされる端末装置の数等を制限するものであってもよい。
【０１０５】
なお、上記周期及び時間領域ユニットがいくつであるかについては、ネットワーク装置同士が予め協議し又はプライマリネットワーク装置が設定してもよい。例えば、１０個のタイムスロットを周期とするが、時間領域ユニットが１つのタイムスロットであってもよく、タイムスロットの整数倍等であってもよいと予め規定してもよい。該各時間領域ユニットは等しくてもよく、等しくなくてもよい。例えば、第１時間領域ユニットは１つのタイムスロットであってもよく、第２時間領域ユニットは２つのタイムスロットであってもよい。上記第１周波数帯をいくつの周波数領域ユニットに分割するか及び該周波数領域ユニットがいくつであるかについては、ネットワーク装置同士が予め協議し又はプライマリネットワーク装置が設定してもよい。例えば、第１周波数帯を１５ｋＨｚで分割すると予め規定してもよく、該周波数領域ユニットは１５ｋＨｚ又は１５ｋＨｚの整数倍である。該各周波数領域ユニットは等しくてもよく、等しくなくてもよく、例えば、第１周波数領域ユニットは１５ｋＨｚであってもよく、第２周波数領域ユニットは３０ｋＨｚであってもよい。
【０１０６】
選択肢として、該第１指示情報は１つの一般化されたビットマップであってもよく、例えば、ｘ０で該時間領域ユニットが信号伝送に使用可能であることを示し、ｘ１で該時間領域ユニットが信号伝送に使用禁止であることを示し、ｘ２、・・・、ｘｎで該時間領域ユニットが一定の制限をしなければ信号伝送に使用不可であることを示してもよい。ｘ２、・・・、ｘｎは異なる制限、例えば変調及び符号化方法（ＭＣＳ：Ｍｏｄｕｌａｔｉｏｎ  ａｎｄ  Ｃｏｄｉｎｇ  Ｓｃｈｅｍｅ）レベルを調整又は制限することを示す。
【０１０７】
同様に、１つの一般化されたビットマップによって該第１周波数帯における各周波数領域ユニットを示してもよい。例えば、ｘ０で該周波数領域ユニットが信号伝送に使用可能であることを示し、ｘ１で該周波数領域ユニットが信号伝送に使用禁止であることを示し、ｘ２、・・・、ｘｎで該周波数領域ユニットが一定の制限をしなければ信号伝送に使用不可であることを示してもよい。ｘ２、・・・、ｘｎは異なる制限、例えばＭＣＳレベルを調整又は制限することを示す。
【０１０８】
例１
図４に示すように、１０個のタイムスロットｓｌｏｔを周期とし、１０個のｂｉｔの一般化されたビットマップ（ｂｉｔｍａｐ）によって指示し、各位置が情報ｘを指示し、ｘが１つの選択可能な集合｛ｖ＿１，・・・，ｖ＿ｋ｝におけるある値であり、異なる値が異なる意味を示し、例えば、ｖ＿１はスケジューリングしないことを示し、ｖ＿２はＭＣＳレベルを制限又は調整することを示し、ｖ＿３は通常にスケジューリングできることを示す。
【０１０９】
例２
図５に示すように、一定のルールに従って、あるキャリアの周波数領域リソースをＮ個のグループに分け、Ｎ個のｂｉｔのビットマップによって指示し、各位置が情報ｘを指示し、ｘが１つの選択可能な集合｛ｖ＿１，・・・，ｖ＿ｋ｝におけるある値であり、異なる値が異なる意味を示し、例えば、ｖ＿１はスケジューリングしないことを示し、ｖ＿２はＭＣＳレベルを制限又は調整することを示し、ｖ＿３は通常にスケジューリングできることを示す。
【０１１０】
システムが異なる通信ポリシーを呼び出すために、ＭＣＳは異なる変調及び符号化方式を番号付けすることに用いられ、ＭＣＳ値は異なる速度の通信環境に対応する。ＭＣＳの値範囲は一般的に［０，３１］であるが、新しく伝送されたデータに対して一般的に［０，２８］のＭＣＳ値しか採用できず、ＭＣＳレベルが高ければ高いほど、依存するチャネル条件は良い必要がある。異なるＭＣＳ値は様々な変調次数及び符号化速度に対応し、ＭＣＳはユーザーのフィードバックしたチャネル品質識別子（ＣＱＩ：Ｃｈａｎｎｅｌ  Ｑｕａｌｉｔｙ  Ｉｎｄｉｃａｔｏｒ）、チャネル信号対雑音比（ＳＮＲ：Ｓｉｇｎａｌ  ｔｏ  Ｎｏｉｓｅ  Ｒａｔｉｏ）等によって調整されてもよい。第２ネットワーク装置は第１周波数帯におけるある時間領域ユニット又はある周波数領域ユニットにおいて第２周波数帯による干渉影響が相対的に小さいと判断すれば、第２ネットワーク装置はＭＣＳレベルを調整又は制限することにより伝送信頼性を向上させるように第１ネットワーク装置に指示することができる。
【０１１１】
同様に、第２ネットワーク装置は第１周波数帯におけるある時間領域ユニット又はある周波数領域ユニットにおいて第２周波数帯による干渉影響が相対的に小さいと判断すれば、第２ネットワーク装置は該時間領域ユニット又は周波数領域ユニットにおいてスケジューリングされた端末装置の数を制限することにより伝送信頼性を向上させるように第１ネットワーク装置に指示することができる。
【０１１２】
上記言及した通り、第２周波数帯の第１周波数帯への干渉は高調波干渉及び／又は相互変調干渉であってもよく、第２周波数帯が１つである場合、第２周波数帯の第１周波数帯への干渉は高調波干渉であってもよいが、第２周波数帯が複数である場合、第２周波数帯の第１周波数帯への干渉は相互変調干渉であってもよい。
【０１１３】
第１周波数帯におけるリソース及び第２周波数帯を時間領域においてずらし又は周波数領域においてずらすことにより、干渉を低減し、伝送信頼性を向上させることができる。
【０１１４】
選択肢として、本願の実施例において、該第１指示情報は該時間周波数リソースの時間領域の開始位置、時間領域の長さ及び時間領域の終了位置のうちの少なくとも２つを指示することに用いられ、及び／又は該第１指示情報は該時間周波数リソースの周波数領域の開始位置、帯域幅及び周波数領域の終了位置のうちの少なくとも２つを指示することに用いられる。
【０１１５】
選択肢として、該第１指示情報は更に該第１周波数帯における制限された時間周波数リソースの時間領域の開始位置、時間領域の長さ及び時間領域の終了位置のうちの少なくとも２つを指示することに用いられてもよく、及び／又は該第１指示情報は更に該第１周波数帯における制限された時間周波数リソースの周波数領域の開始位置、帯域幅及び周波数領域の終了位置のうちの少なくとも２つを指示することに用いられてもよい。この場合、第１ネットワーク装置は該第１指示情報で指示する制限された時間周波数リソースに基づいて、スケジューリングを許可する時間周波数リソースを確定することができる。
【０１１６】
図４を例とし、第２ネットワーク装置は第１指示情報によって、１つの周期における最後の８つのタイムスロットがスケジューリングに使用可能であることを第１ネットワーク装置に直接に通知することができる場合、第１ネットワーク装置は最後の８つのタイムスロットにおいて信号伝送を直接に行うことができる。又は、第２ネットワーク装置は第１指示情報によって、１つの周期における最初の２つのタイムスロットがスケジューリングに使用不能であることを第１ネットワーク装置に直接に通知してもよい。１つの周期が１０個のタイムスロットであると予め約束する場合、第１ネットワーク装置はスケジューリング可能なリソースが最後の８つのタイムスロットであると推計できる。図５を例とし、第２ネットワーク装置は第１指示情報によって、該第１周波数帯の最後の３つの周波数領域ユニットがスケジューリングに使用可能であることを第１ネットワーク装置に直接に通知することができる場合、第１ネットワーク装置は第１周波数帯の最後の３つの周波数領域ユニットにおいて信号伝送を直接に行うことができる。又は、第２ネットワーク装置は第１指示情報によって、最初の２つの周波数領域ユニットがスケジューリングに使用不能であることを第１ネットワーク装置に直接に通知してもよい。第１周波数帯が５つの周波数領域ユニットに分割されることを予め約束する場合、第１ネットワーク装置はスケジューリング可能なリソースが第１周波数帯の最後の３つの周波数領域ユニットにおけるリソースであると推計できる。
【０１１７】
選択肢として、本願の実施例において、該第１指示情報は第２ネットワーク装置に対応するアップリンク／ダウンリンク周波数帯の第２周期における時間領域設定情報を指示することに用いられ、該アップリンク／ダウンリンク周波数帯は該第１周波数帯に干渉を与えた第２周波数帯を含み、該第１ネットワーク装置が該第１指示情報に基づき、該時間周波数リソースを確定することは、該第１ネットワーク装置は該時間領域設定情報に基づき、該時間周波数リソースを確定することを含む。
【０１１８】
該実施例において、周期については、上記と同様に、予め約束又は設定してもよい。一般的に、ネットワーク装置に設定された周波数帯は一部がアップリンク信号を伝送することに用いられ、他の部分がダウンリンク信号を伝送することに用いられ、すなわち、ネットワーク装置に設定された周波数帯はアップリンク周波数帯及びダウンリンク周波数帯を含む。該アップリンク周波数帯はダウンリンク周波数帯と同じであってもよいが、時間領域においてずれている。これは所謂の時分割多重化である。第１ネットワーク装置は他のネットワーク装置に対応する周波数帯の時間領域設定情報、即ち１つの周期でのアップリンク／ダウンリンク設定状況を取得すれば、該アップリンク／ダウンリンク設定状況に応じて、一定のルールに従って第１周波数帯におけるスケジューリング可能な時間領域リソース又はスケジューリングを制限する時間領域リソースを自動的に確定することができる。
【０１１９】
選択肢として、本願の実施例において、該第１ネットワーク装置が該時間領域設定情報に基づき、該時間周波数リソースを確定することは、該第１ネットワーク装置が該第１周波数帯の該第２周期における該第２周期において該第２周波数帯と重なる時間領域ユニット以外のリソースを該時間周波数リソースとして確定することを含む。
【０１２０】
例えば、１つの周期は５つの符号を含み、第２ネットワーク装置のアップリンク／ダウンリンク周波数帯は１番目から５番目までの符号の順序がそれぞれアップリンク・アップリンク・ダウンリンク・ダウンリンク・ダウンリンクであるように設定されるが、第１ネットワーク装置のアップリンク／ダウンリンク周波数帯の設定順序はアップリンク・アップリンク・ダウンリンク・ダウンリンク・アップリンクであり、第１ネットワーク装置は第２ネットワーク装置のアップリンク／ダウンリンク周波数帯の時間領域設定情報を取得した後、５番目の符号においてアップリンク伝送を行わず、最初の２つの符号においてアップリンク伝送を直接に行えばよい。
【０１２１】
上記言及した通り、第１周波数帯及び第２周波数帯はキャリアであってもよい。具体的に、該第１周波数帯はＮＲキャリアであってもよく、及び／又は該第２周波数帯はＬＴＥキャリア又はＮＲキャリアであってもよい。該第１周波数帯及び第２周波数帯は更にいずれもＬＴＥキャリアであってもよく、本願の実施例はこれに限らない。
【０１２２】
また、本願の実施例における第２ネットワーク装置は多重接続シーンにおけるプライマリネットワーク装置、又は独立した論理装置であってもよく、第１ネットワーク装置は多重接続シーンにおけるセカンダリネットワーク装置であってもよい。又は、本願の実施例における第２周波数帯はキャリアアグリゲーションにおけるプライマリキャリアであってもよく、第１周波数帯はキャリアアグリゲーションにおけるセカンダリキャリアであってもよい。
【０１２３】
選択肢として、本願の実施例において、該方法は更に、該第１ネットワーク装置が該第１端末装置の端末設定情報を受信することを含み、該第１ネットワーク装置が該第１ネットワーク装置に対応する第１周波数帯において、信号を伝送するための時間周波数リソースを確定することは、該第１ネットワーク装置が該端末設定情報に基づき、該第１端末装置に対応する該時間周波数リソースを確定することを含む。
【０１２４】
選択肢として、該第１ネットワーク装置における異なる端末装置は第１周波数帯における異なる設定方式に対応してもよく、異なるグループの端末装置は第１周波数帯における異なる設定方式に対応してもよい。第２ネットワーク装置は第１ネットワーク装置に第１指示情報を送信すると同時に、第１ネットワーク装置に第１端末装置の識別子又は第１端末装置の属するグループ番号を送信することができ、更に第１ネットワーク装置は該第１指示情報で指示する時間周波数リソースが該第１端末装置の信号を伝送することに用いられることができると判断できる。又は、ネットワーク装置同士は上記対応関係を記憶することができ、他のネットワーク装置は第１端末装置の識別子又は第１端末装置の属するグループ番号を第１ネットワーク装置に通知すればよい。
【０１２５】
すなわち、第１ネットワーク装置の確定した該時間周波数リソースは該第１ネットワーク装置におけるすべての端末装置に適用されてもよく、該第１ネットワーク装置におけるある端末装置のみに適用されてもよく、又は、更に該第１ネットワーク装置におけるあるグループの端末装置に適用されてもよい。該第１ネットワーク装置における端末装置のグループ分けは第２ネットワーク装置により行われてもよく、対応関係は第２ネットワーク装置により確定されてもよいと理解すべきである。
【０１２６】
具体的に、該方法は更に、該第２ネットワーク装置が該第１端末装置の送信した第２指示情報を受信し、該第２指示情報は該第１端末装置の第１周波数帯による信号受信能力及び／又は該第２周波数帯の該第１周波数帯への干渉の干渉情報を指示することに用いられることを含み、該第２ネットワーク装置が第２周波数帯の第１周波数帯への干渉に基づき、第１ネットワーク装置に第１指示情報を送信することは、該干渉情報に基づき、該第１端末装置の該時間周波数リソースを確定することと、該第１ネットワーク装置に該第１指示情報を送信することと、を含む。
【０１２７】
異なる端末装置の異なる周波数帯への干渉の異なる端末装置への影響程度又は異なる端末装置の信号受信能力は異なる可能性がある。異なる周波数帯の同時伝送による相互間の干渉がどの程度であるかを指示するために、端末装置は関連情報を報告することができる。具体的に、端末装置の受信感度値、受信影響レベル等を減少させることができる。該受信影響レベルはプロトコルによって予め固定されてもよい。
【０１２８】
すなわち、第２ネットワーク装置は該第１ネットワーク装置における複数の端末装置の上記情報、例えば第１周波数帯による信号受信能力及び／又は該第２周波数帯の該第１周波数帯への干渉の干渉情報を予め取得することができ、且つ、各端末装置の報告した情報に基づいて第１周波数帯のリソースに対して異なる設定を行い、異なる端末に対応する設定方式で記憶することができる。第２ネットワーク装置は該対応関係を第１ネットワーク装置に送信することもでき、それにより第１ネットワーク装置はある端末装置の識別子を受信するとき、テーブルを検索することにより該端末装置に対応する第１周波数帯において設定された時間周波数リソースを把握できる。
【０１２９】
上記第１端末装置は第１ネットワーク装置におけるある端末装置であり、第１端末装置は第２ネットワーク装置におけるある端末装置であってもよいと理解すべきである。すなわち、第２ネットワーク装置はそのスケジューリングしたある端末装置の関連情報に基づき、それに対応する周波数帯の設定方式を確定することができ、更に、設定された状況に応じて該端末装置と信号伝送を行うことができる。
【０１３０】
異なる端末装置の干渉に対する隔離度に対して、該端末装置に対する時間周波数リソースを確定し、端末装置の性能を十分に利用することができ、それにより伝送信頼性の向上に役立つ。
【０１３１】
具体的に、該干渉情報は該第２周波数帯の該第１周波数帯への干渉の該第１端末装置への影響程度及び／又は該第２周波数帯の該第１周波数帯への干渉の干渉タイプを含み、該干渉タイプは高調波干渉及び／又は相互変調干渉を含む。該第１端末装置の第１周波数帯による信号受信能力は該第１端末装置の該第１周波数帯による信号受信感度値により特徴付けられてもよく、及び／又は該影響程度は該影響程度に対応する影響レベルにより特徴付けられてもよい。
【０１３２】
更に、第１端末装置は上記一般化されたビットマップによって影響程度を指示してもよい。具体的に、該第２指示情報は該第２周波数帯の該第１周波数帯における各周波数領域ユニットへの干渉の該第１端末装置への影響程度を指示することに用いられてもよい。
【０１３３】
選択肢として、該第２指示情報は該第２周波数帯の該第１周波数帯における一部の周波数領域リソースへの干渉の該第１端末装置への影響程度を指示することに用いられてもよい。例えば、第１ネットワーク装置に第１周波数帯におけるある周波数領域リソース範囲の影響程度を直接に指示してもよく、該周波数領域リソース範囲の指示は上記直接指示方式、例えば周波数領域の開始位置、帯域幅及び周波数領域の終了位置のうちの少なくとも２つの情報を用いてもよい。
【０１３４】
以下、２つの例によって本願の実施例における影響程度の特徴付け方式を詳しく説明する。
【０１３５】
例３
ある周波数帯を５つのグループに分ける場合、ＵＥは異なるグループに対して［影響せず  影響せず  影響せず  影響レベルＩ  影響レベルＩＩＩ］を報告する。
【０１３６】
例４
ある周波数帯を５つのグループに分ける場合、ＵＥは［グループ４  影響レベルＩ］［グループ５  影響レベルＩＩＩ］を報告し、影響しない場合に報告しなくてもよい。
【０１３７】
又は、第２ネットワーク装置は高調波干渉を第１周波数帯における１種類の時間周波数リソースの設定方式に対応し、相互変調干渉を第１周波数帯における他の種類の時間周波数リソースの設定方式に対応し、高調波干渉プラス相互変調干渉を第１周波数帯における他の種類の時間周波数リソースの設定方式に対応してもよい。第２ネットワーク装置は第１端末装置の報告した干渉タイプを受信し、テーブルを検索することにより対応する設定方式を取得し、更に該設定方式を第１ネットワーク装置に通知することができる。
【０１３８】
上記特徴付け方式は模式的な説明に過ぎず、本願の実施例はこれに限らないと理解すべきである。
【０１３９】
選択肢として、本願の実施例において、該第１端末装置が第２ネットワーク装置に第２指示情報を送信することは、該第１端末装置が該第１端末装置のアクセス能力及び該第２指示情報を含む第１メッセージを該第２ネットワーク装置に送信すること、又は、該第１端末装置がキャリアアグリゲーションをイネーブルする場合、該第２ネットワーク装置に該第２指示情報を送信すること、又は、該第１端末装置が該第１端末装置に設定された複数の周波数帯に干渉が生じ得ることを確定した場合、該第２ネットワーク装置に該第２指示情報を送信することを含む。
【０１４０】
すなわち、第１端末装置は端末のアクセス能力を報告すると同時に、第２ネットワーク装置に上記情報を報告することができ、又は、第１端末装置は多重接続又はキャリアアグリゲーションを設定したシーンにおいて、第２ネットワーク装置に上記情報を報告することができ、又は、第１端末装置は多重接続又はキャリアアグリゲーションを設定した際に報告せず、複数のキャリアにおいて同時に伝送する際に高調波干渉及び／又は相互変調干渉が生じる可能性があることを確定した場合、第２ネットワーク装置に上記情報を報告することもできる。
【０１４１】
以下、２つの詳細な実施例によって本願の技術案を説明する。
【０１４２】
例５
現在のネットワークにおいて、端末がＬＴＥの１つのキャリア、ＮＲの１つのキャリアを同時にサポートし、ＬＴＥアップリンクが１７１０〜１７３０ＭＨｚ（ＦＤＤモード）で動作し、ＮＲキャリアが３４００〜３８００ＭＨｚ（ＴＤＤモード）で動作するというＬＴＥ及びＮＲのダブルリンクのみをサポートする場合、ＮＲキャリアダウンリンクの受けた２次高調波干渉は主に３４２０〜３４６０間及び隣接するいくつかの周波数帯に集中する（例えば３４６０〜３４７０間にもある程度の影響を受ける）。ＮＲがｎｏｎ−ｓｔａｎｄａｌｏｎｅ動作モードである場合、ＬＴＥセルは、
ＮＲが３４７０〜３８００ＭＨｚで通常にスケジューリングする情報、
ＮＲが３４２０〜３４７０ＭＨｚでスケジューリングを制限する情報、
ＮＲが３４２０〜３４６０ＭＨｚでスケジューリングを制限し、３４６０〜３４７０でＭＣＳを調整又は制限する情報（以上のいくつかの選択可能な方式又はその組み合わせ）をＮＲセルに通知し、
３４００〜３８００ＭＨｚを１０グループに予め等分してもよく、ＬＴＥセルはＮＲセルに００１１１１１１１１、すなわち、ＮＲセルが３４００〜３４８０ＭＨｚでスケジューリングを制限することを通知する。
【０１４３】
例６
端末がＬＴＥの１つのキャリア、ＮＲの１つのキャリアを同時にサポートし、ＬＴＥアップリンクが１７１０〜１７３０ＭＨｚ（ＦＤＤモード）で動作し、ＮＲキャリアが３４００〜３８００ＭＨｚ（ＴＤＤモード）で動作する場合、ＮＲキャリアダウンリンクの受けた２次高調波干渉範囲は主に３４２０〜３４６０間及び隣接するいくつかの周波数帯に集中する（例えば３４６０〜３４７０間にもある程度の影響を受ける）。
【０１４４】
ある端末が最適化設計によって比較的良い隔離度を実現し、３４２０〜３４７０内でのＮＲダウンリンク受信への影響が比較的小さく、受信機への影響が大きくないと仮定する場合、端末は高調波干渉の影響が良く、周波数領域スケジューリングが制限される必要がないことを指示するための情報をネットワークに報告する。
【０１４５】
ある端末が最適化設計によって一定の隔離度を実現し、３４２０〜３４７０内でのＮＲダウンリンク受信への影響が比較的小さいが、受信機への影響が依然として存在すると仮定する場合、端末は干渉影響の大きさを指示するための情報「干渉影響レベル１」をネットワークに報告する（全部で１、・・・、Ｋ個のレベルがあり、１レベルが最小で、Ｋレベルが最大であると仮定する）。
【０１４６】
ネットワークはＵＥの報告を受信した後、ＵＥにスケジューリングするとき、ＵＥの異なる周波数点での伝送干渉及び抑制能力に基づき、スケジューリング及びリソース割り当てを合理的に行うことができる。
【０１４７】
本願の様々な実施例において、上記各過程の番号の大きさは実行順序の前後を意味せず、各過程の実行順序はその機能及び内部論理によって確定されるべきであり、本願の実施例の実施過程を制限するためのものではないと理解すべきである。
【０１４８】
図６は本願の実施例による信号伝送方法３００の模式的なブロック図を示す。図６に示すように、該方法３００は、
第２ネットワーク装置が、第２周波数帯の第１周波数帯への干渉に基づき、第１ネットワーク装置に第１指示情報を送信し、該第１指示情報は該第１ネットワーク装置が該第１周波数帯において、信号伝送に使用可能な時間周波数リソースを確定することに用いられるＳ３１０を含む。
【０１４９】
従って、本願の実施例による信号伝送方法は、周波数帯間の同時伝送による干渉の低減に役立ち、それにより伝送信頼性を向上させる。
【０１５０】
選択肢として、本願の実施例において、該第１周波数帯はダウンリンク信号を伝送することに用いられ、該第２周波数帯はアップリンク信号を伝送することに用いられ、又は、該第１周波数帯はアップリンク信号を伝送することに用いられ、該第２周波数帯はダウンリンク信号を伝送することに用いられる。
【０１５１】
選択肢として、本願の実施例において、該第１指示情報は該第１周波数帯の第１周期における各時間領域ユニットに対する該第１ネットワーク装置のスケジューリング方式を指示することに用いられ、及び／又は該第１指示情報は該第１周波数帯における各周波数領域ユニットに対する該第１ネットワーク装置のスケジューリング方式を指示することに用いられる。
【０１５２】
選択肢として、本願の実施例において、該スケジューリング方式はスケジューリング許可、スケジューリング禁止、又は、調整又は制限された符号化及び変調レベルを用いてスケジューリングすることを含む。
【０１５３】
選択肢として、本願の実施例において、該第１指示情報は該時間周波数リソースの時間領域の開始位置、時間領域の長さ及び時間領域の終了位置のうちの少なくとも２つを指示することに用いられ、及び／又は該第１指示情報は該時間周波数リソースの周波数領域の開始位置、帯域幅及び周波数領域の終了位置のうちの少なくとも２つを指示することに用いられる。
【０１５４】
選択肢として、本願の実施例において、該第１指示情報は該第２ネットワーク装置に対応するアップリンク／ダウンリンク周波数帯の第２周期における時間領域設定情報を指示することに用いられ、該アップリンク／ダウンリンク周波数帯は該第２周波数帯を含む。
【０１５５】
選択肢として、本願の実施例において、該第１指示情報は第１端末装置の該時間周波数リソースを指示することに用いられ、該第１端末装置は該第１ネットワーク装置がネットワークサービスを提供する端末装置である。
【０１５６】
選択肢として、本願の実施例において、該方法は更に、該第２ネットワーク装置が該第１端末装置の送信した第２指示情報を受信し、該第２指示情報は該第１端末装置の第１周波数帯による信号受信能力及び／又は該第２周波数帯の該第１周波数帯への干渉の干渉情報を指示することに用いられることを含み、該第２ネットワーク装置が第２周波数帯の第１周波数帯への干渉に基づき、第１ネットワーク装置に第１指示情報を送信することは、該干渉情報に基づき、該第１端末装置の該時間周波数リソースを確定することと、該第１ネットワーク装置に該第１指示情報を送信することと、を含む。
【０１５７】
選択肢として、本願の実施例において、該第１周波数帯はＮＲキャリアであり、該第２周波数帯はＬＴＥキャリア又はＮＲキャリアである。
【０１５８】
選択肢として、本願の実施例において、該第２周波数帯に対応するセルはプライマリセルである。
【０１５９】
第２ネットワーク装置に説明された第２ネットワーク装置、第１ネットワーク装置及び第１端末装置の間のインタラクション及び関連特性、機能等は第１ネットワーク装置の関連特性、機能に対応すると理解すべきである。且つ、関連内容は上記方法１００及び方法２００において詳しく説明したため、簡潔のため、ここで繰り返して説明しない。
【０１６０】
本願の様々な実施例において、上記各過程の番号の大きさは実行順序の前後を意味せず、各過程の実行順序はその機能及び内部論理によって確定されるべきであり、本願の実施例の実施過程を制限するためのものではないと更に理解すべきである。
【０１６１】
図７は本願の実施例による信号伝送方法４００の模式的なブロック図を示す。図７に示すように、該方法４００は、
第２ネットワーク装置が第１端末装置の送信した第２指示情報を受信し、該第２指示情報は該第１端末装置の第１周波数帯による信号受信能力及び／又は第２周波数帯の該第１周波数帯への干渉情報を指示することに用いられるＳ４１０を含む。
【０１６２】
選択肢として、本願の実施例において、該方法４００は更に、
該第２ネットワーク装置が該第２指示情報に基づき、該第１周波数帯において、該第１端末装置の信号を伝送するための時間周波数リソースを確定するＳ４２０を含む。
【０１６３】
選択肢として、該第１周波数帯は第１端末装置と信号伝送を行うために該第２ネットワーク装置に設定したものであってもよく、第１端末装置と信号伝送を行うために他のネットワーク装置、例えば第１ネットワーク装置に設定したものであってもよい。すなわち、該第２ネットワーク装置は該第１端末装置の時間周波数リソースを確定した後、第２ネットワーク装置は該時間周波数リソースを直接に使用して第１端末装置と信号伝送を行ってもよい。他のネットワーク装置が該時間周波数リソースを使用して第１端末装置と信号伝送を行うことを可能にするために、他のネットワーク装置に該時間周波数リソースを指示する指示情報を送信してもよい。
【０１６４】
第２ネットワーク装置が第１端末装置の報告した上記情報を受信した後、上記情報を参照して該端末装置に対してリソース設定を行ってもよく、参照せずに、自体のルールに従って該端末装置に対してリソース設定を行ってもよく、本願の実施例はこれに限らないと理解すべきである。
【０１６５】
従って、本願の実施例による信号伝送方法において、異なる端末装置の干渉に対する隔離度に対して、該端末装置に対する時間周波数リソースを確定し、端末装置の性能を十分に利用することができ、それにより伝送信頼性の向上に役立つ。
【０１６６】
選択肢として、本願の実施例において、該第２周波数帯はアップリンク信号を伝送することに用いられる。
【０１６７】
選択肢として、本願の実施例において、該干渉情報は該第２周波数帯の該第１周波数帯への干渉の該第１端末装置への影響程度及び／又は該第２周波数帯の該第１周波数帯への干渉の干渉タイプを含み、該干渉タイプは高調波干渉及び／又は相互変調干渉を含む。
【０１６８】
選択肢として、本願の実施例において、該第２指示情報は具体的に、該第２周波数帯の該第１周波数帯における各周波数領域ユニットへの干渉の該第１端末装置への影響程度を指示することに用いられる。
【０１６９】
選択肢として、本願の実施例において、該第２指示情報は具体的に、該第２周波数帯の該第１周波数帯における一部の周波数領域リソースへの干渉の該第１端末装置への影響程度を指示することに用いられる。
【０１７０】
選択肢として、本願の実施例において、該第１端末装置の第１周波数帯による信号受信能力は該第１端末装置の該第１周波数帯による信号受信感度値により特徴付けられ、及び／又は該影響程度は該影響程度に対応する影響レベルにより特徴付けられる。
【０１７１】
選択肢として、本願の実施例において、該第２ネットワーク装置が該第２指示情報に基づき、該第１周波数帯において、該第１端末装置の信号を伝送するための時間周波数リソースを確定することは、該第２ネットワーク装置が該第２指示情報に基づき、該第２周波数帯の該第１周波数帯への干渉が該第１端末装置に影響しないことを確定することと、該第２ネットワーク装置が該第１周波数帯におけるすべての時間周波数リソースを該第１端末装置の時間周波数リソースとして確定することと、を含む。
【０１７２】
選択肢として、本願の実施例において、該第１周波数帯はＮＲキャリアであり、該第２周波数帯はＬＴＥキャリア又はＮＲキャリアである。
【０１７３】
選択肢として、本願の実施例において、該第２周波数帯に対応するセルはプライマリセルである。
【０１７４】
第２ネットワーク装置に説明された第２ネットワーク装置、第１ネットワーク装置及び第１端末装置の間のインタラクション及び関連特性、機能等は第１ネットワーク装置の関連特性、機能に対応すると理解すべきである。且つ、関連内容は上記方法１００及び方法２００において詳しく説明したため、簡潔のため、ここで繰り返して説明しない。
【０１７５】
本願の様々な実施例において、上記各過程の番号の大きさは実行順序の前後を意味せず、各過程の実行順序はその機能及び内部論理によって確定されるべきであり、本願の実施例の実施過程を制限するためのものではないと更に理解すべきである。
【０１７６】
図８は本願の実施例による信号伝送方法５００の模式的なブロック図を示す。図８に示すように、該方法５００は、
第１端末装置が第２ネットワーク装置に第２指示情報を送信し、該第２指示情報は該第１端末装置の第１周波数帯による信号受信能力及び／又は第２周波数帯の該第１周波数帯への干渉情報を指示することに用いられるＳ５１０を含む。
【０１７７】
従って、本願の実施例による信号伝送方法において、ネットワーク装置が該端末装置に対する時間周波数リソースを確定することを可能にするために、端末装置はネットワーク装置に干渉に対する隔離度を報告し、端末装置の性能を十分に利用することができ、それにより伝送信頼性の向上に役立つ。
【０１７８】
選択肢として、本願の実施例において、該第２周波数帯はアップリンク信号を伝送することに用いられる。
【０１７９】
選択肢として、本願の実施例において、該干渉情報は該第２周波数帯の該第１周波数帯への干渉の該第１端末装置への影響程度及び／又は該第２周波数帯の該第１周波数帯への干渉の干渉タイプを含み、該干渉タイプは高調波干渉及び／又は相互変調干渉を含む。
【０１８０】
選択肢として、本願の実施例において、該第２指示情報は具体的に、該第２周波数帯の該第１周波数帯における各周波数領域ユニットへの干渉の該第１端末装置への影響程度を指示することに用いられる。
【０１８１】
選択肢として、本願の実施例において、該第２指示情報は具体的に、該第２周波数帯の該第１周波数帯における一部の周波数領域リソースへの干渉の該第１端末装置への影響程度を指示することに用いられる。
【０１８２】
選択肢として、本願の実施例において、該第１端末装置の第１周波数帯による信号受信能力は該第１端末装置の該第１周波数帯による信号受信感度値により特徴付けられ、及び／又は該影響程度は該影響程度に対応する影響レベルにより特徴付けられる。
【０１８３】
選択肢として、本願の実施例において、該第１周波数帯はＮＲキャリアであり、該第２周波数帯はＬＴＥキャリア又はＮＲキャリアである。
【０１８４】
選択肢として、本願の実施例において、該第２周波数帯に対応するセルはプライマリセルである。
【０１８５】
選択肢として、本願の実施例において、該第１端末装置が第２ネットワーク装置に第２指示情報を送信することは、該第１端末装置が該第１端末装置のアクセス能力及び該第２指示情報を含む第１メッセージを該第２ネットワーク装置に送信すること、又は、該第１端末装置がキャリアアグリゲーションをイネーブルする場合、該第２ネットワーク装置に該第２指示情報を送信すること、又は、該第１端末装置が該第１端末装置に設定された複数の周波数帯に干渉が生じ得ることを確定した場合、該第２ネットワーク装置に該第２指示情報を送信することを含む。
【０１８６】
第１端末装置に説明された第１端末装置、第２ネットワーク装置及び第１ネットワーク装置の間のインタラクション及び関連特性、機能等は第１ネットワーク装置の関連特性、機能に対応すると理解すべきである。且つ、関連内容は上記方法１００及び方法２００において詳しく説明したため、簡潔のため、ここで繰り返して説明しない。
【０１８７】
本願の様々な実施例において、上記各過程の番号の大きさは実行順序の前後を意味せず、各過程の実行順序はその機能及び内部論理によって確定されるべきであり、本願の実施例の実施過程を制限するためのものではないと更に理解すべきである。
【０１８８】
以上は本願の実施例による信号伝送方法を詳しく説明したが、以下に図９〜図１６を参照しながら、本願の実施例による信号伝送装置を説明し、方法実施例に説明された技術的特徴は以下の装置実施例に適用される。
【０１８９】
図９は本願の実施例によるネットワーク装置６００の模式的なブロック図を示す。該ネットワーク装置６００は第１ネットワーク装置であり、図９に示すように、該ネットワーク装置６００は、
該第１ネットワーク装置に対応する第１周波数帯において、信号を伝送するための時間周波数リソースを確定するための確定ユニット６１０と、
該時間周波数リソースにおいて第１端末装置と信号伝送を行うための伝送ユニット６２０と、を備える。
【０１９０】
従って、本願の実施例によるネットワーク装置は、周波数帯間の同時伝送による干渉の低減に役立ち、それにより伝送信頼性を向上させる。
【０１９１】
選択肢として、本願の実施例において、該ネットワーク装置は更に、第１指示情報を受信するための第１受信ユニットを備え、該確定ユニットは具体的に、該第１指示情報に基づき、該時間周波数リソースを確定することに用いられる。
【０１９２】
選択肢として、本願の実施例において、該第１指示情報は第２周波数帯の該第１周波数帯への干渉に基づいて送信したものである。
【０１９３】
選択肢として、本願の実施例において、該第１周波数帯はダウンリンク信号を伝送することに用いられ、該第２周波数帯はアップリンク信号を伝送することに用いられ、又は、該第１周波数帯はアップリンク信号を伝送することに用いられ、該第２周波数帯はダウンリンク信号を伝送することに用いられる。
【０１９４】
選択肢として、本願の実施例において、該第１指示情報は該第１周波数帯の第１周期における各時間領域ユニットに対する該第１ネットワーク装置のスケジューリング方式を指示することに用いられ、及び／又は該第１指示情報は該第１周波数帯における各周波数領域ユニットに対する該第１ネットワーク装置のスケジューリング方式を指示することに用いられ、該確定ユニット６１０は具体的に、該各時間領域ユニットのスケジューリング方式及び／又は該各周波数領域ユニットのスケジューリング方式に基づき、該時間周波数リソースを確定することに用いられる。
【０１９５】
選択肢として、本願の実施例において、該スケジューリング方式はスケジューリング許可、スケジューリング禁止、又は、調整又は制限された符号化及び変調レベルを用いてスケジューリングすることを含む。
【０１９６】
選択肢として、本願の実施例において、該第１指示情報は該時間周波数リソースの時間領域の開始位置、時間領域の長さ及び時間領域の終了位置のうちの少なくとも２つを指示することに用いられ、及び／又は該第１指示情報は該時間周波数リソースの周波数領域の開始位置、帯域幅及び周波数領域の終了位置のうちの少なくとも２つを指示することに用いられる。
【０１９７】
選択肢として、本願の実施例において、該第１指示情報は第２ネットワーク装置に対応するアップリンク／ダウンリンク周波数帯の第２周期における時間領域設定情報を指示することに用いられ、該アップリンク／ダウンリンク周波数帯は該第１周波数帯に干渉を与えた第２周波数帯を含み、該確定ユニット６１０は具体的に、該第１ネットワーク装置が該時間領域設定情報に基づき、該時間周波数リソースを確定することに用いられる。
【０１９８】
選択肢として、本願の実施例において、該確定ユニット６１０は具体的に、該第１周波数帯の該第２周期における該第２周期において該第２周波数帯と重なる時間領域ユニット以外のリソースを該時間周波数リソースとして確定することに用いられる。
【０１９９】
選択肢として、本願の実施例において、該第１周波数帯はＮＲキャリアであり、及び／又は該第２周波数帯はＬＴＥキャリア又はＮＲキャリアである。
【０２００】
本願の実施例によるネットワーク装置６００は本願の方法実施例における第１ネットワーク装置に対応してもよく、且つ、ネットワーク装置６００における各ユニットの上記及び他の操作及び／又は機能はそれぞれ図２〜図５に示される各方法における第１ネットワーク装置の対応プロセスを実現するためのものであり、簡潔のため、ここで繰り返して説明しないと理解すべきである。
【０２０１】
図１０は本願の実施例によるネットワーク装置７００の模式的なブロック図を示す。該ネットワーク装置７００は第２ネットワーク装置であり、図１０に示すように、該ネットワーク装置７００は、
第２周波数帯の第１周波数帯への干渉に基づき、第１ネットワーク装置に第１指示情報を送信し、該第１指示情報は該第１ネットワーク装置が該第１周波数帯において、信号伝送に使用可能な時間周波数リソースを確定することに用いられるための送信ユニット７１０を備える。
【０２０２】
従って、本願の実施例によるネットワーク装置は、周波数帯間の同時伝送による干渉の低減に役立ち、それにより伝送信頼性を向上させる。
【０２０３】
選択肢として、本願の実施例において、該第１周波数帯はダウンリンク信号を伝送することに用いられ、該第２周波数帯はアップリンク信号を伝送することに用いられ、又は、該第１周波数帯はアップリンク信号を伝送することに用いられ、該第２周波数帯はダウンリンク信号を伝送することに用いられる。
【０２０４】
選択肢として、本願の実施例において、該第１指示情報は該第１周波数帯の第１周期における各時間領域ユニットに対する該第１ネットワーク装置のスケジューリング方式を指示することに用いられ、及び／又は該第１指示情報は該第１周波数帯における各周波数領域ユニットに対する該第１ネットワーク装置のスケジューリング方式を指示することに用いられる。
【０２０５】
選択肢として、本願の実施例において、該スケジューリング方式はスケジューリング許可、スケジューリング禁止、又は、調整又は制限された符号化及び変調レベルを用いてスケジューリングすることを含む。
【０２０６】
選択肢として、本願の実施例において、該第１指示情報は該時間周波数リソースの時間領域の開始位置、時間領域の長さ及び時間領域の終了位置のうちの少なくとも２つを指示することに用いられ、及び／又は該第１指示情報は該時間周波数リソースの周波数領域の開始位置、帯域幅及び周波数領域の終了位置のうちの少なくとも２つを指示することに用いられる。
【０２０７】
選択肢として、本願の実施例において、該第１指示情報は該第２ネットワーク装置に対応するアップリンク／ダウンリンク周波数帯の第２周期における時間領域設定情報を指示することに用いられ、該アップリンク／ダウンリンク周波数帯は該第２周波数帯を含む。
【０２０８】
選択肢として、本願の実施例において、該第１指示情報は第１端末装置の該時間周波数リソースを指示することに用いられ、該第１端末装置は該第１ネットワーク装置がネットワークサービスを提供する端末装置である。
【０２０９】
選択肢として、本願の実施例において、該ネットワーク装置７００は更に、該第１端末装置の送信した、該第１端末装置の第１周波数帯による信号受信能力及び／又は該第２周波数帯の該第１周波数帯への干渉情報を指示するための第２指示情報を受信するための受信ユニットを備え、該送信ユニットは具体的に、該干渉情報に基づき、該第１端末装置の該時間周波数リソースを確定することと、該第１ネットワーク装置に該第１指示情報を送信することと、に用いられる。
【０２１０】
選択肢として、本願の実施例において、該干渉情報は該第２周波数帯の該第１周波数帯への干渉の該第１端末装置への影響程度及び／又は該第２周波数帯の該第１周波数帯への干渉の干渉タイプを含み、該干渉タイプは高調波干渉及び／又は相互変調干渉を含む。
【０２１１】
選択肢として、本願の実施例において、該第２指示情報は具体的に、該第２周波数帯の該第１周波数帯における各周波数領域ユニットへの干渉の該第１端末装置への影響程度を指示することに用いられる。
【０２１２】
選択肢として、本願の実施例において、該第１周波数帯はＮＲキャリアであり、該第２周波数帯はＬＴＥキャリア又はＮＲキャリアである。
【０２１３】
選択肢として、本願の実施例において、該第２周波数帯に対応するセルはプライマリセルである。
【０２１４】
本願の実施例によるネットワーク装置７００は本願の方法実施例における第２ネットワーク装置に対応してもよく、且つ、ネットワーク装置７００における各ユニットの上記及び他の操作及び／又は機能はそれぞれ図６に示される方法における第２ネットワーク装置の対応プロセスを実現するためのものであり、簡潔のため、ここで繰り返して説明しないと理解すべきである。
【０２１５】
図１１は本願の実施例のネットワーク装置８００の模式的なブロック図を示す。該ネットワーク装置８００は第２ネットワーク装置であり、図１１に示すように、該ネットワーク装置８００は、
第１端末装置の送信した第２指示情報を受信し、該第２指示情報は該第１端末装置の第１周波数帯による信号受信能力及び／又は第２周波数帯の該第１周波数帯への干渉の干渉情報を指示することに用いられるための受信ユニット８１０を備える。
【０２１６】
従って、本願の実施例によるネットワーク装置は、異なる端末装置の干渉に対する隔離度に対して、該端末装置に対する時間周波数リソースを確定し、端末装置の性能を十分に利用することができ、それにより伝送信頼性の向上に役立つ。
【０２１７】
選択肢として、本願の実施例において、該ネットワーク装置８００は更に、該第２指示情報に基づき、該第１周波数帯において該第１端末装置の信号を伝送するための時間周波数リソースを確定するための確定ユニットを備える。
【０２１８】
選択肢として、本願の実施例において、該第２周波数帯はアップリンク信号を伝送することに用いられる。
【０２１９】
選択肢として、本願の実施例において、該干渉情報は該第２周波数帯の該第１周波数帯への干渉の該第１端末装置への影響程度及び／又は該第２周波数帯の該第１周波数帯への干渉の干渉タイプを含み、該干渉タイプは高調波干渉及び／又は相互変調干渉を含む。
【０２２０】
選択肢として、本願の実施例において、該第２指示情報は具体的に、該第２周波数帯の該第１周波数帯における各周波数領域ユニットへの干渉の該第１端末装置への影響程度を指示することに用いられる。
【０２２１】
選択肢として、本願の実施例において、該第２指示情報は該第２周波数帯の該第１周波数帯における一部の周波数領域リソースへの干渉の該第１端末装置への影響程度を指示することに用いられる。
【０２２２】
選択肢として、本願の実施例において、該第１端末装置の第１周波数帯による信号受信能力は該第１端末装置の該第１周波数帯による信号受信感度値により特徴付けられ、及び／又は該影響程度は該影響程度に対応する影響レベルにより特徴付けられる。
【０２２３】
選択肢として、本願の実施例において、該確定ユニットは具体的に、該第２指示情報に基づき、該第２周波数帯の該第１周波数帯への干渉が該第１端末装置に影響しないことを確定することと、該第１周波数帯におけるすべての時間周波数リソースを該第１端末装置の時間周波数リソースとして確定することと、に用いられる。
【０２２４】
選択肢として、本願の実施例において、該ネットワーク装置８００は更に、該第１端末装置の該時間周波数リソースを指示するための第１指示情報を第１ネットワーク装置に送信するための送信ユニットを備える。
【０２２５】
選択肢として、本願の実施例において、該第１周波数帯はＮＲキャリアであり、該第２周波数帯はＬＴＥキャリア又はＮＲキャリアである。
【０２２６】
選択肢として、本願の実施例において、該第２周波数帯に対応するセルはプライマリセルである。
【０２２７】
本願の実施例によるネットワーク装置８００は本願の方法実施例における第２ネットワーク装置に対応してもよく、且つ、ネットワーク装置８００における各ユニットの上記及び他の操作及び／又は機能はそれぞれ図７に示される方法における第２ネットワーク装置の対応プロセスを実現するためのものであり、簡潔のため、ここで繰り返して説明しないと理解すべきである。
【０２２８】
図１２は本願の実施例による端末装置９００の模式的なブロック図を示す。該ネットワーク装置９００は第１端末装置であり、図１２に示すように、該端末装置９００は、
該第１端末装置の第１周波数帯による信号受信能力及び／又は第２周波数帯の該第１周波数帯への干渉の干渉情報を指示するための第２指示情報を第２ネットワーク装置に送信するための送信ユニット９１０を備える。
【０２２９】
従って、本願の実施例による端末装置は、干渉に対する隔離度をネットワーク装置に報告することにより、ネットワーク装置が該端末装置に対する時間周波数リソースを確定することを可能にし、端末装置の性能を十分に利用することができ、それにより伝送信頼性の向上に役立つ。
【０２３０】
選択肢として、本願の実施例において、該第２周波数帯はアップリンク信号を伝送することに用いられる。
【０２３１】
選択肢として、本願の実施例において、該干渉情報は該第２周波数帯の該第１周波数帯への干渉の該第１端末装置への影響程度及び／又は該第２周波数帯の該第１周波数帯への干渉の干渉タイプを含み、該干渉タイプは高調波干渉及び／又は相互変調干渉を含む。
【０２３２】
選択肢として、本願の実施例において、該第２指示情報は具体的に、該第２周波数帯の該第１周波数帯における各周波数領域ユニットへの干渉の該第１端末装置への影響程度を指示することに用いられる。
【０２３３】
選択肢として、本願の実施例において、該第２指示情報は該第２周波数帯の該第１周波数帯における一部の周波数領域リソースへの干渉の該第１端末装置への影響程度を指示することに用いられる。
【０２３４】
選択肢として、本願の実施例において、該第１端末装置の第１周波数帯による信号受信能力は該第１端末装置の該第１周波数帯による信号受信感度値により特徴付けられ、及び／又は該影響程度は該影響程度に対応する影響レベルにより特徴付けられる。
【０２３５】
選択肢として、本願の実施例において、該第１周波数帯はＮＲキャリアであり、該第２周波数帯はＬＴＥキャリア又はＮＲキャリアである。
【０２３６】
選択肢として、本願の実施例において、該第２周波数帯に対応するセルはプライマリセルである。
【０２３７】
選択肢として、本願の実施例において、該送信ユニットは具体的に、該第１端末装置のアクセス能力及び該第２指示情報を含む第１メッセージを該第２ネットワーク装置に送信すること、又は、キャリアアグリゲーションをイネーブルする場合、該第２ネットワーク装置に該第２指示情報を送信すること、又は、該第１端末装置に設定された複数の周波数帯に干渉が生じ得ることを確定した場合、該第２ネットワーク装置に該第２指示情報を送信することに用いられる。
【０２３８】
本願の実施例による端末装置９００は本願の方法実施例における第１端末装置に対応してもよく、且つ、端末装置９００における各ユニットの上記及び他の操作及び／又は機能はそれぞれ図８に示される方法における第１端末装置の対応プロセスを実現するためのものであり、簡潔のため、ここで繰り返して説明しないと理解すべきである。
【０２３９】
図１３に示すように、本願の実施例は更にネットワーク装置１０００を提供し、該ネットワーク装置１０００は図９におけるネットワーク装置６００であってもよく、図２〜図５における各方法に対応する第１ネットワーク装置の内容を実行することに使用可能である。該ネットワーク装置１０００は入力インターフェース１０１０、出力インターフェース１０２０、プロセッサ１０３０及びメモリ１０４０を備え、該入力インターフェース１０１０、出力インターフェース１０２０、プロセッサ１０３０及びメモリ１０４０はバスシステムによって接続されてもよい。前記メモリ１０４０はプログラム、命令又はコードを記憶することに用いられる。入力インターフェース１０１０が信号を受信し、出力インターフェース１０２０が信号を送信するように制御し、及び上記方法実施例における操作を完了するために、前記プロセッサ１０３０は前記メモリ１０４０におけるプログラム、命令又はコードを実行することに用いられる。
【０２４０】
従って、本願の実施例によるネットワーク装置は、周波数帯間の同時伝送による干渉の低減に役立ち、それにより伝送信頼性を向上させる。
【０２４１】
本願の実施例において、該プロセッサ１０３０は中央処理装置（ＣＰＵ：Ｃｅｎｔｒａｌ  Ｐｒｏｃｅｓｓｉｎｇ  Ｕｎｉｔ）であってもよく、該プロセッサ１０３０は更に他の汎用プロセッサ、デジタル信号プロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサはいかなる通常のプロセッサ等であってもよい。
【０２４２】
該メモリ１０４０は読み出し専用メモリ及びランダムアクセスメモリを含んでもよく、且つプロセッサ１０３０に命令及びデータを提供する。メモリ１０４０の一部は更に不揮発性ランダムアクセスメモリを含んでもよい。例えば、メモリ１０４０には更に装置タイプ情報が記憶されてもよい。
【０２４３】
実現過程において、上記方法の各内容はプロセッサ１０３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ１０４０に位置し、プロセッサ１０３０はメモリ１０４０における情報を読み取り、そのハードウェアと組み合わせて上記方法の内容を完了する。重複を避けるために、詳細な説明は省略する。
【０２４４】
１つの具体的な実施形態において、ネットワーク装置６００における受信ユニットは図１３における入力インターフェース１０１０により実現されてもよく、ネットワーク装置６００における確定ユニット６１０は図１３におけるプロセッサ１０３０により実現されてもよい。
【０２４５】
図１４に示すように、本願の実施例は更にネットワーク装置１１００を提供し、該ネットワーク装置１１００は図１０におけるネットワーク装置７００であってもよく、図６における方法に対応する第２ネットワーク装置の内容を実行することに使用可能である。該ネットワーク装置１１００は入力インターフェース１１１０、出力インターフェース１１２０、プロセッサ１１３０及びメモリ１１４０を備え、該入力インターフェース１１１０、出力インターフェース１１２０、プロセッサ１１３０及びメモリ１１４０はバスシステムによって接続されてもよい。前記メモリ１１４０はプログラム、命令又はコードを記憶することに用いられる。入力インターフェース１１１０が信号を受信し、出力インターフェース１１２０が信号を送信するように制御し、及び上記方法実施例における操作を完了するために、前記プロセッサ１１３０は前記メモリ１１４０におけるプログラム、命令又はコードを実行することに用いられる。
【０２４６】
従って、本願の実施例によるネットワーク装置は、周波数帯間の同時伝送による干渉の低減に役立ち、それにより伝送信頼性を向上させる。
【０２４７】
本願の実施例において、該プロセッサ１１３０は中央処理装置（ＣＰＵ：Ｃｅｎｔｒａｌ  Ｐｒｏｃｅｓｓｉｎｇ  Ｕｎｉｔ）であってもよく、該プロセッサ１１３０は更に他の汎用プロセッサ、デジタル信号プロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサはいかなる通常のプロセッサ等であってもよい。
【０２４８】
該メモリ１１４０は読み出し専用メモリ及びランダムアクセスメモリを含んでもよく、且つプロセッサ１１３０に命令及びデータを提供する。メモリ１１４０の一部は更に不揮発性ランダムアクセスメモリを含んでもよい。例えば、メモリ１１４０には更に装置タイプ情報が記憶されてもよい。
【０２４９】
実現過程において、上記方法の各内容はプロセッサ１１３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ１１４０に位置し、プロセッサ１１３０はメモリ１１４０における情報を読み取り、そのハードウェアと組み合わせて上記方法の内容を完了する。重複を避けるために、詳細な説明は省略する。
【０２５０】
１つの具体的な実施形態において、ネットワーク装置７００における送信ユニットは図１４における出力インターフェース１１２０により実現されてもよく、ネットワーク装置７００における受信ユニットは図１４における入力インターフェース１１１０により実現されてもよい。
【０２５１】
図１５に示すように、本願の実施例は更にネットワーク装置１２００を提供し、該ネットワーク装置１２００は図１１におけるネットワーク装置８００であってもよく、図７における方法に対応する第２ネットワーク装置の内容を実行することに使用可能である。該ネットワーク装置１２００は入力インターフェース１２１０、出力インターフェース１２２０、プロセッサ１２３０及びメモリ１２４０を備え、該入力インターフェース１２１０、出力インターフェース１２２０、プロセッサ１２３０及びメモリ１２４０はバスシステムによって接続されてもよい。前記メモリ１２４０はプログラム、命令又はコードを記憶することに用いられる。入力インターフェース１２１０が信号を受信し、出力インターフェース１２２０が信号を送信するように制御し、及び上記方法実施例における操作を完了するために、前記プロセッサ１２３０は前記メモリ１２４０におけるプログラム、命令又はコードを実行することに用いられる。
【０２５２】
従って、本願の実施例によるネットワーク装置は、異なる端末装置の干渉に対する隔離度に対して、該端末装置に対する時間周波数リソースを確定し、端末装置の性能を十分に利用することができ、それにより伝送信頼性の向上に役立つ。
【０２５３】
本願の実施例において、該プロセッサ１２３０は中央処理装置（ＣＰＵ：Ｃｅｎｔｒａｌ  Ｐｒｏｃｅｓｓｉｎｇ  Ｕｎｉｔ）であってもよく、該プロセッサ１２３０は更に他の汎用プロセッサ、デジタル信号プロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサはいかなる通常のプロセッサ等であってもよい。
【０２５４】
該メモリ１２４０は読み出し専用メモリ及びランダムアクセスメモリを含んでもよく、且つプロセッサ１２３０に命令及びデータを提供する。メモリ１２４０の一部は更に不揮発性ランダムアクセスメモリを含んでもよい。例えば、メモリ１２４０には更に装置タイプ情報が記憶されてもよい。
【０２５５】
実現過程において、上記方法の各内容はプロセッサ１２３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ１２４０に位置し、プロセッサ１２３０はメモリ１２４０における情報を読み取り、そのハードウェアと組み合わせて上記方法の内容を完了する。重複を避けるために、詳細な説明は省略する。
【０２５６】
１つの具体的な実施形態において、ネットワーク装置８００における確定ユニットは図１５におけるプロセッサ１２３０により実現されてもよく、ネットワーク装置８００における受信ユニットは図１５における入力インターフェース１２１０により実現されてもよい。
【０２５７】
図１６に示すように、本願の実施例は更に端末装置１３００を提供し、該端末装置１３００は図１２における端末装置９００であってもよく、図８における方法に対応する第１端末装置の内容を実行することに使用可能である。該端末装置１３００は入力インターフェース１３１０、出力インターフェース１３２０、プロセッサ１３３０及びメモリ１３４０を備え、該入力インターフェース１３１０、出力インターフェース１３２０、プロセッサ１３３０及びメモリ１３４０はバスシステムによって接続されてもよい。前記メモリ１３４０はプログラム、命令又はコードを記憶することに用いられる。入力インターフェース１３１０が信号を受信し、出力インターフェース１３２０が信号を送信するように制御し、及び上記方法実施例における操作を完了するために、前記プロセッサ１３３０は前記メモリ１３４０におけるプログラム、命令又はコードを実行することに用いられる。
【０２５８】
従って、本願の実施例による端末装置はネットワーク装置に干渉に対する隔離度を報告することにより、ネットワーク装置が該端末装置に対する時間周波数リソースを確定することを可能にし、端末装置の性能を十分に利用することができ、それにより伝送信頼性の向上に役立つ。
【０２５９】
本願の実施例において、該プロセッサ１３３０は中央処理装置（ＣＰＵ：Ｃｅｎｔｒａｌ  Ｐｒｏｃｅｓｓｉｎｇ  Ｕｎｉｔ）であってもよく、該プロセッサ１３３０は更に他の汎用プロセッサ、デジタル信号プロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサはいかなる通常のプロセッサ等であってもよい。
【０２６０】
該メモリ１３４０は読み出し専用メモリ及びランダムアクセスメモリを含んでもよく、且つプロセッサ１３３０に命令及びデータを提供する。メモリ１３４０の一部は更に不揮発性ランダムアクセスメモリを含んでもよい。例えば、メモリ１３４０には更に装置タイプ情報が記憶されてもよい。
【０２６１】
実現過程において、上記方法の各内容はプロセッサ１３３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ１３４０に位置し、プロセッサ１３３０はメモリ１３４０における情報を読み取り、そのハードウェアと組み合わせて上記方法の内容を完了する。重複を避けるために、詳細な説明は省略する。
【０２６２】
１つの具体的な実施形態において、端末装置９００における送信ユニットは図１６における出力インターフェース１３２０により実現されてもよい。
【０２６３】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解できる。これらの機能をハードウェアそれともソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０２６４】
当業者であれば、説明を容易で簡単にするために、上記説明されるシステム、装置及びユニットの具体的な動作過程は、上記方法実施例における対応過程を参照してもよく、ここで繰り返して説明しないことを明確に理解できる。
【０２６５】
本願によるいくつかの実施例において、開示されるシステム、装置及び方法は他の方式で実現されてもよいと理解すべきである。例えば、以上に説明される装置実施例は模式的なものに過ぎず、例えば、該ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０２６６】
分離部材として説明される該ユニットは物理的に分離してもよく、物理的に分離しなくてもよく、ユニットとして表示される部材は物理ユニットであってもよく、物理ユニットでなくてもよく、すなわち、一箇所に位置してもよく、複数のネットワークユニットに配置されてもよい。実際の必要に応じて、その一部又は全部のユニットを選択して本実施例案の目的を実現してもよい。
【０２６７】
また、本願の各実施例において、各機能ユニットは１つの処理ユニットに統合されてもよく、各ユニットは独立して物理的に存在してもよく、２つ又は２つ以上のユニットは１つのユニットに統合されてもよい。
【０２６８】
該機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の部分はソフトウェア製品の形式で具現されてもよく、該コンピュータソフトウェア製品は１つの記憶媒体に記憶され、１台のコンピュータ装置（パーソナルコンピュータ、サーバ又はネットワーク装置等であってもよい）に本願の各実施例の全部又は一部のステップを実行させるための複数の命令を含む。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０２６９】
以上の説明は本願の具体的な実施形態に過ぎず、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2020529141.tif 000003
【図２】
2020529141.tif 000004
【図３】
2020529141.tif 000005
【図４】
2020529141.tif 000006
【図５】
2020529141.tif 000007
【図６】
2020529141.tif 000008
【図７】
2020529141.tif 000009
【図８】
2020529141.tif 000010
【図９】
2020529141.tif 000011
【図１０】
2020529141.tif 000012
【図１１】
2020529141.tif 000013
【図１２】
2020529141.tif 000014
【図１３】
2020529141.tif 000015
【図１４】
2020529141.tif 000016
【図１５】
2020529141.tif 000017
【図１６】
2020529141.tif 000018
【手続補正書】
【提出日】令和2年5月26日(2020.5.26)
【手続補正１】
【補正対象書類名】明細書
【補正対象項目名】０１９７
【補正方法】変更
【補正の内容】
【０１９７】
選択肢として、本願の実施例において、該第１指示情報は第２ネットワーク装置に対応するアップリンク／ダウンリンク周波数帯の第２周期における時間領域設定情報を指示することに用いられ、該アップリンク／ダウンリンク周波数帯は該第１周波数帯に干渉を与えた第２周波数帯を含み、該確定ユニット６１０は具体的に、該時間領域設定情報に基づき、該時間周波数リソースを確定することに用いられる。
【手続補正２】
【補正対象書類名】特許請求の範囲
【補正対象項目名】全文
【補正方法】変更
【補正の内容】
【特許請求の範囲】
【請求項１】
第１ネットワーク装置は前記第１ネットワーク装置に対応する第１周波数帯において、信号を伝送するための時間周波数リソースを確定することと、
前記第１ネットワーク装置は前記時間周波数リソースにおいて、第１端末装置と信号伝送を行うことと、を含むことを特徴とする信号伝送方法。
【請求項２】
前記第１ネットワーク装置が第１指示情報を受信することを更に含み、
前記第１ネットワーク装置が、前記第１ネットワーク装置に対応する第１周波数帯において、信号を伝送するための時間周波数リソースを確定することは、
前記第１ネットワーク装置は前記第１指示情報に基づき、前記時間周波数リソースを確定することを含むことを特徴とする請求項１に記載の方法。
【請求項３】
前記第１指示情報は第２周波数帯の前記第１周波数帯への干渉に基づいて送信したものであることを特徴とする請求項２に記載の方法。
【請求項４】
前記第１周波数帯はダウンリンク信号を伝送することに用いられ、前記第２周波数帯はアップリンク信号を伝送することに用いられ、又は、前記第１周波数帯はアップリンク信号を伝送することに用いられ、前記第２周波数帯はダウンリンク信号を伝送することに用いられることを特徴とする請求項３に記載の方法。
【請求項５】
前記第１指示情報は前記第１周波数帯の第１周期における各時間領域ユニットに対する前記第１ネットワーク装置のスケジューリング方式を指示することに用いられ、及び／又は前記第１指示情報は前記第１周波数帯における各周波数領域ユニットに対する前記第１ネットワーク装置のスケジューリング方式を指示することに用いられ、
前記第１ネットワーク装置が前記第１指示情報に基づき、前記時間周波数リソースを確定することは、
前記第１ネットワーク装置は前記各時間領域ユニットのスケジューリング方式及び／又は前記各周波数領域ユニットのスケジューリング方式に基づき、前記時間周波数リソースを確定することを含むことを特徴とする請求項２〜４のいずれか１項に記載の方法。
【請求項６】
前記スケジューリング方式はスケジューリング許可、スケジューリング禁止、又は、調整又は制限された符号化及び変調レベルを用いてスケジューリングすることを含むことを特徴とする請求項５に記載の方法。
【請求項７】
前記第１指示情報は前記時間周波数リソースの時間領域の開始位置、時間領域の長さ及び時間領域の終了位置のうちの少なくとも２つを指示することに用いられ、及び／又は前記第１指示情報は前記時間周波数リソースの周波数領域の開始位置、帯域幅及び周波数領域の終了位置のうちの少なくとも２つを指示することに用いられることを特徴とする請求項２〜４のいずれか１項に記載の方法。
【請求項８】
前記第１指示情報は第２ネットワーク装置に対応するアップリンク／ダウンリンク周波数帯の第２周期における時間領域設定情報を指示することに用いられ、前記アップリンク／ダウンリンク周波数帯は前記第１周波数帯に干渉を与えた第２周波数帯を含み、
前記第１ネットワーク装置が前記第１指示情報に基づき、前記時間周波数リソースを確定することは、
前記第１ネットワーク装置は前記時間領域設定情報に基づき、前記時間周波数リソースを確定することを含むことを特徴とする請求項２〜４のいずれか１項に記載の方法。
【請求項９】
前記第１周波数帯は新無線ＮＲキャリアであり、及び／又は前記第２周波数帯はロングタームエボリューションＬＴＥキャリア又は新無線ＮＲキャリアであることを特徴とする請求項３〜８のいずれか１項に記載の方法。
【請求項１０】
前記第２周波数帯に対応するセルはプライマリセルであることを特徴とする請求項３〜９のいずれか１項に記載の方法。
【請求項１１】
ビットマップは前記第１指示情報における各周波数領域ユニットを示し、前記ビットマップは、
前記周波数領域ユニットが信号伝送に使用されることを示すｘ０と、
前記周波数領域ユニットが信号伝送に使用禁止であることを示すｘ１と、を含むことを特徴とする請求項１に記載の方法。
【請求項１２】
第２ネットワーク装置は第２周波数帯の第１周波数帯への干渉に基づき、第１ネットワーク装置に第１指示情報を送信し、前記第１指示情報は前記第１ネットワーク装置が前記第１周波数帯において、信号伝送に使用可能な時間周波数リソースを確定することに用いられることを含むことを特徴とする信号伝送方法。
【請求項１３】
前記干渉情報は前記第２周波数帯の前記第１周波数帯への干渉の前記第１端末装置への影響程度及び／又は前記第２周波数帯の前記第１周波数帯への干渉の干渉タイプを含み、前記干渉タイプは高調波干渉及び／又は相互変調干渉を含み、
前記第２指示情報は具体的に前記第２周波数帯の前記第１周波数帯における各周波数領域ユニットへの干渉の前記第１端末装置への影響程度を指示することに用いられることを特徴とする請求項１２に記載の方法。
【請求項１４】
第１端末装置が第２ネットワーク装置に第２指示情報を送信し、前記第２指示情報は前記第１端末装置の第１周波数帯による信号受信能力及び／又は第２周波数帯の前記第１周波数帯への干渉の干渉情報を指示することに用いられることを含むことを特徴とする信号伝送方法。
【請求項１５】
前記第２周波数帯はアップリンク信号を伝送することに用いられることを特徴とする請求項１４に記載の方法。
【請求項１６】
前記干渉情報は前記第２周波数帯の前記第１周波数帯への干渉の前記第１端末装置への影響程度及び／又は前記第２周波数帯の前記第１周波数帯への干渉の干渉タイプを含み、前記干渉タイプは高調波干渉及び／又は相互変調干渉を含むことを特徴とする請求項１４又は１５に記載の方法。
【請求項１７】
前記第１周波数帯は新無線ＮＲキャリアであり、前記第２周波数帯はロングタームエボリューションＬＴＥキャリア又は新無線ＮＲキャリアであることを特徴とする請求項１４〜１６のいずれか１項に記載の方法。
【請求項１８】
前記第２周波数帯に対応するセルはプライマリセルであることを特徴とする請求項１４〜１７のいずれか１項に記載の方法。
【請求項１９】
前記第１端末装置が第２ネットワーク装置に第２指示情報を送信することは、
前記第１端末装置が前記第１端末装置のアクセス能力及び前記第２指示情報を含む第１メッセージを前記第２ネットワーク装置に送信すること、又は
前記第１端末装置がキャリアアグリゲーションをイネーブルする場合、前記第２ネットワーク装置に前記第２指示情報を送信すること、又は
前記第１端末装置が前記第１端末装置に設定された複数の周波数帯に干渉が生じ得ることを確定した場合、前記第２ネットワーク装置に前記第２指示情報を送信することを含むことを特徴とする請求項１４〜１８のいずれか１項に記載の方法。
【請求項２０】
ネットワーク装置であって、請求項１〜１３のいずれか１項に記載の方法を実行するためのユニットを含むネットワーク装置。
【請求項２１】
端末装置であって、請求項１４〜１９のいずれか１項に記載の方法を実行するためのユニットを含む端末装置。
【国際調査報告】
2020529141.tif 000019
2020529141.tif 000020
2020529141.tif 000021
2020529141.tif 000022